(57)【要約】【課題】演出性を向上するとともに、組み立て作業の効率化を図ることができる遊技機を提供する。【解決手段】遊技球が入球可能な普通入賞口２４１〜２４９、第２種非電動役物２５ａ〜２５ｄが設けられ、透光性の素材で形成された遊技板１４と、遊技板１４の背面側に配置され、普通入賞口２４１〜２４９、第２種非電動役物２５ａ〜２５ｄに入球した遊技球を排出する排出路６１３が形成された排出路機構板６１０、及び遊技板１４と排出路機構板６１０との間に設けられ、排出路６１３を覆う流路カバー６２０を含む排出路ユニット６００とを備え、排出路ユニット６００は、遊技板１４に向けて発光するＬＥＤ６５１が実装された電飾基板６５０ａ〜６５０ｄを備えた。【選択図】図４
2008099858.tif 000002
【特許請求の範囲】
【請求項１】
遊技球が入球可能な入賞口が設けられ、透光性の素材で形成された遊技板と、
前記遊技板の背面側に配置され、前記入賞口に入球した遊技球を排出する排出路が形成された排出路機構板、及び前記遊技板と前記排出路機構板との間に設けられ、前記排出路を覆う流路カバーを含む排出路ユニットとを備え、
当該排出路ユニットは、前記遊技板に向けて発光する発光体が実装された電飾基板を備えたことを特徴とする遊技機。
【請求項２】
前記排出路ユニットは、前記遊技板と前記発光体との間に、傾斜面に囲まれた拡散空間を形成する拡散部を有し、
当該拡散部の前記拡散空間における内法は、前記発光体から前記遊技板に向かって大きくなることを特徴とする請求項１に記載の遊技機。
【請求項３】
前記遊技板に配置された透光性のシートを備え、
前記シートには、所定の図柄が表示され、
前記発光体は、前記所定の図柄の背後に配置されることを特徴とする請求項１または２に記載の遊技機。
【請求項４】
前記排出路は、遊技球が流下する流路と、前記入賞口に入球した遊技球を当該流路に導く流路口とを有し、
当該流路口に設けられ、当該流路口を通過した遊技球を検出したときに、入賞信号を発信する入賞口検出手段と、
当該入賞口検出手段が発信した入賞信号に応じて、前記発光体に発光させる制御を行う電飾制御手段とを備えることを特徴とする請求項１から３のいずれかに記載の遊技機。
【請求項５】
前記流路カバーには、前記入賞口と前記排出路とを連通する開口部が設けられ、
当該開口部の周縁には、前記入賞口から前記排出路に延びるリブが形成されることを特徴とする請求項１から４のいずれかに記載の遊技機。
【請求項６】
前記流路カバーの前記開口部は、前記流路口の上方に設けられ、
前記流路カバーには、前記開口部と前記流路口との間に前記流路口の略中央に向かって傾斜する傾斜部分を有する突起部が形成されることを特徴とする請求項５に記載の遊技機。
【発明の詳細な説明】
【技術分野】
【０００１】
本発明は、遊技機に関する。特に遊技板に入賞口が設けられた遊技機に関する。
【背景技術】
【０００２】
従来より、遊技球が転動する遊技板に入賞口が設けられ、この入賞口に遊技球が入球すると、ランプ等の電飾装置による演出を行うとともに、所定数の遊技球を払い出す遊技機が提供されている。
【０００３】
このような遊技機では、遊技板の表面に複数の入賞口が設けられるとともに、ランプ等の電飾装置を取り付けるための開口部が遊技板に設けられる。
【０００４】
しかしながら、遊技板に開口部を設けると、この遊技板における遊技球が転動する遊技領域を狭めることとなるという問題があった。
【０００５】
そこで、入賞口が設けられた遊技板を透光性の合成樹脂で形成し、ランプを遊技板の裏側に配置した遊技機が提案されている（特許文献１参照）。
【０００６】
この特許文献１に示された遊技機によれば、複数の入賞口が設けられた遊技板を透光性の合成樹脂で形成した。よって、遊技板にランプのための開口部を設ける必要がないので、遊技領域を狭めることなく、遊技板の表面側においてランプによる演出効果が得られる。
【特許文献１】特開平１０−１７９８５４号公報
【発明の開示】
【発明が解決しようとする課題】
【０００７】
しかしながら、遊技板の裏面側には、遊技板に設けられた複数の入賞口に入球した遊技球を遊技機外に排出するための排出路が各入賞口毎に設けられている。よって、遊技板の裏面側においては、ランプやを取り付けるための作業スペースは限られている。また、遊技板の裏面側に、各入賞口毎の排出路とランプとをそれぞれ取り付けることとなるため、遊技板の裏面側に取り付ける部品数が増加し、遊技機の組み立て作業が煩雑となっていた。
【０００８】
よって、ランプ等の演出装置による演出を行うとともに、遊技板の裏面側における部品数の増加を抑えた遊技機の提供が望まれている。
【０００９】
本発明の目的は、演出性を向上するとともに、組み立て作業の効率化を図ることができる遊技機を提供することを目的とする。
【課題を解決するための手段】
【００１０】
上記課題を解決するため、本発明は、以下のような遊技機を提供する。
【００１１】
（１）  遊技球が入球可能な入賞口（例えば、後述の普通入賞口２４１〜２４９、第２種非電動役物２５ａ〜２５ｄ）が設けられ、透光性の素材で形成された遊技板（例えば、後述の遊技板１４）と、前記遊技板の背面側に配置され、前記入賞口に入球した遊技球を排出する排出路（例えば、後述の排出路６１３）が形成された排出路機構板（例えば、後述の排出路機構板６１０）、及び前記遊技板と前記排出路機構板との間に設けられ、前記排出路を覆う流路カバー（例えば、後述の流路カバー６２０）を含む排出路ユニット（例えば、後述の排出路ユニット６００）とを備え、当該排出路ユニットは、前記遊技板に向けて発光する発光体（例えば、後述のＬＥＤ６５１）が実装された電飾基板（例えば、後述の電飾基板６５０ａ〜６５０ｄ）を備えたことを特徴とする遊技機（例えば、後述のパチンコ遊技機１０）。
【００１２】
（１）に記載の発明によれば、透光性の素材で形成した遊技板の背面側に、入賞口に入球した遊技球を排出する排出路を形成した排出路機構板、及び遊技板と排出路機構板との間に設けられ、排出路を覆う流路カバーを含む排出路ユニットを配置し、この排出路ユニットには、遊技板に向けて発光する発光体を実装した電飾基板を設けた。これにより、発光体の発光により遊技板における演出性を向上できる。また、遊技板と排出路機構板との間に排出路を覆う流路カバーを設けたので、遊技球が流下する排出路を流路カバーで覆うことができる。これにより、排出路の流路を流下する遊技球が直接遊技板に衝突することがないので、遊技板を傷つけずに保護できるとともに、衝突により発生する遊技板の振動を抑えることができる。よって、遊技板の傷や振動により遊技板での演出の装飾性を阻害することがないので、演出性を向上できる。
【００１３】
さらに、組み立て作業を行うときには、排出路機構板の表面から突出する排出路を流路カバーで覆い、排出路機構板と流路カバーとを一体にした排出路ユニットを遊技板に取り付ける。よって、組み立て作業時に他の部材等が排出路に接触してこの排出路を破損することを防止できるので、組み立て作業の効率化を図ることができる。さらにまた、この排出路ユニットには、発光体を実装した電飾基板を設けた。これにより、電飾基板及び排出路機構板をそれぞれ遊技板に取り付ける場合に比べて、これらを取り付けるための部品の数を削減できるので、組み立て作業の効率化を図ることができる。したがって、演出性を向上するとともに、組み立て作業の効率化を図ることができる。
【００１４】
（２）  （１）に記載の遊技機において、前記排出路ユニットは、前記遊技板と前記発光体との間に、傾斜面（例えば、後述の傾斜面６３２）に囲まれた拡散空間（例えば、後述の拡散空間６３３）を形成する拡散部（例えば、後述の拡散部６３１ａ〜６３１ｋ）を有し、当該拡散部の前記拡散空間における内法は、前記発光体から前記遊技板に向かって大きくなることを特徴とする遊技機。
【００１５】
（２）に記載の発明によれば、（１）の発明に加えて、排出路ユニットにおいて、遊技板と発光体との間に、傾斜面により囲んだ拡散空間を形成した拡散部を設け、この拡散部の拡散空間における内法を発光体から遊技板に向かって大きくなるようにした。
【００１６】
ここで、遊技板の背面側に発光体を設ける場合、遊技板の背面側に発光体が近接していると、発光体の発光により遊技板の表面側にこの発光体の外観の形状が映し出され、遊技板の所定の部分を発光させるという演出の装飾性を阻害することとなる。しかしながら、遊技板と発光体との間に拡散部を設けることで、発光体を遊技板から拡散空間の分だけ離すことができる。これにより、遊技板の表面側に発光体の外観の形状が映し出されることにより演出の装飾性が阻害されることを防止できる。
【００１７】
また、拡散空間は、その内法が発光体から遊技板に向かって大きくなるように、傾斜面により囲んで形成した。これにより、発光体により発した光は、傾斜面に反射し、遊技板に向かうにつれて徐々に拡散する。よって、遊技板の表面側に表示される光を、中心から外側に向けた階調を有する光として表示できるので、さらに遊技板における装飾性が向上し、演出性を向上できる。
【００１８】
また、拡散部を、遊技球を排出する排出路が形成された排出路機構板とともに排出路ユニットに設けたので、拡散部及び排出路機構板をそれぞれ遊技板に取り付ける場合に比べて、これらを取り付けるための部品の数を削減できる。したがって、演出性がさらに向上するとともに、組み立て作業の効率化を図ることができる。
【００１９】
（３）  （１）又は（２）に記載の遊技機において、前記遊技板に配置された透光性のシート（例えば、後述のシート１４ａ）を備え、前記シートには、所定の図柄（例えば、後述のキャラクタ図柄９０ａ〜９０ｅ、文字図柄９５ａ、文字図柄９５ｂ）が表示され、前記発光体は、前記所定の図柄の背後に配置されることを特徴とする遊技機。
【００２０】
（３）に記載した発明によれば、（１）又は（２）の発明に加えて、遊技板に所定の図柄を表示した透光性のシートを配置し、この所定の図柄の背後に発光体を配置した。これにより、所定の図柄の背後から光を発することができるので、遊技板の表面側において、所定の図柄が発光するような演出を行うことができる。また、図柄を遊技板に直接表示するのでなく、シートに表示したので、遊技機の機種を変更する場合でも、遊技板を交換することなく、シートのみ交換すればよいので、組み立て作業の効率化を図ることができる。したがって、演出性がさらに向上するとともに、組み立て作業の効率化を図ることができる。
【００２１】
（４）  （１）から（３）のいずれかに記載の遊技機において、前記排出路は、遊技球が流下する流路（例えば、後述の流路６１４ａ〜６１４ｊ）と、前記入賞口に入球した遊技球を当該流路に導く流路口（例えば、後述の流路口６１５ａ〜６１５ｊ）とを有し、当該流路口に設けられ、当該流路口を通過した遊技球を検出したときに、入賞信号を発信する入賞口検出手段（例えば、後述の入賞球センサ１０１ａ、１０１ｃ〜１０１ｇ、１０１ｉ、１０１ｊ）と、当該入賞口検出手段が発信した入賞信号に応じて、前記発光体に発光させる制御を行う電飾制御手段（例えば、後述の駆動回路２６０）とを備えることを特徴とする遊技機。
【００２２】
（４）に記載した発明によれば、（１）から（３）のいずれかの発明に加えて、入賞口に入球した遊技球を流路に導く流路口に、当該流路口を通過した遊技球を検出したときに入賞信号を発信する入賞口検出手段を設け、電飾制御手段により、当該入賞信号に応じて、発光体に発光させる制御を行う。これにより、入賞口に遊技球が入球したことに応じて、発光体を発光できるので、例えば、入賞口に遊技球が入球したことを発光体の発光により報知するという演出を行うことができる。したがって、演出性を向上できる。
【００２３】
また、例えば、電飾制御手段を排出路ユニットに設けることで、電飾制御手段を排出路機構板とは別に、遊技板や遊技機の枠に取り付ける場合に比べて、これらを取り付けるための部品の数を削減できる。したがって、組み立て作業の効率化を図ることができる。
【００２４】
（５）  （１）から（４）のいずれかに記載の遊技機において、前記流路カバーには、前記入賞口と前記排出路とを連通する開口部（例えば、後述の開口部６２２ａ、６２２ｃ〜６２２ｇ、６２２ｉ）が設けられ、当該開口部の周縁には、前記入賞口から前記排出路に延びるリブ（例えば、後述の開口部リブ６２３ａ、６２３ｃ〜６２３ｇ、６２３ｉ）が形成されることを特徴とする遊技機。
【００２５】
（５）に記載した発明によれば、（１）から（４）のいずれかの発明に加えて、流路カバーに入賞口と排出路とを連通する開口部を設け、当該開口部の周縁に、入賞口から排出路に延びるリブを形成した。これにより、入賞口に入球した遊技球は、リブを転がり開口部を通過して排出路に到達する。
【００２６】
ここで、入賞口が設けられた入賞装置はその奥行き方向の挿入部分が遊技板に挿入されることで、当該遊技板に係止される。また、入賞装置の種類が異なれば、挿入部分の奥行き方向の幅が異なる。よって、従来、演出性を向上させるために入賞装置の種類を異なるものに変更するには、遊技板の背面側に設けられた排出路の設計変更を伴うこととなり、容易に入賞装置の種類を変更できなかった。
【００２７】
しかしながら、流路カバーに入賞装置の入賞口から排出路に延びるリブを形成したので、演出性を向上させるために入賞装置の種類を異なるものに変更する場合、流路カバーのリブについての設計変更のみで対応が可能となり、容易に入賞装置の種類を変更できるので、演出性がさらに向上する。
【００２８】
さらに、排出路機構板に流路カバーを取り付け、この流路カバーの開口部の位置を、遊技板に設けた入賞口の位置に合わせるだけで、排出路機構板を正確に配置できるので、組み立て作業の効率化を図ることができる。
【００２９】
（６）  （５）に記載の遊技機において、前記流路カバーの前記開口部は、前記流路口の上方に設けられ、前記流路カバーには、前記開口部と前記流路口との間に前記流路口の略中央に向かって傾斜する傾斜部分（例えば、後述の傾斜部分６２４ａ）を有する突起部（例えば、後述の突起部６２４）が形成されることを特徴とする遊技機。
【００３０】
（６）に記載した発明によれば、（５）の発明に加えて、流路カバーの開口部を流路口の上方に設け、当該開口部と流路口との間に流路口の略中央に向かって傾斜する傾斜部分を有する突起部を形成した。これにより、入賞口に入球した遊技球は、流路カバーの開口部を通過して落下する。このとき遊技球は、突起部の傾斜部分に導かれ排出路機構板の流路口の略中央に向かって落下する。よって、入賞口に入球した遊技球を確実に流路口の略中央に落下させることができる。
【００３１】
ここで、通常、流路口を通過した遊技球を検出したときに入賞信号を発信する入賞口検出手段は、流路口の略中央に設けられる。よって、入賞口に入球した遊技球を確実に流路口の略中央に落下させることで、入賞口検出手段に確実に入賞信号を発信させることができるので、この入賞信号に応じて、演出を制御する制御手段により、確実に各種の演出を行うことができる。したがって、演出性を向上できる。
【００３２】
また、流路カバーの突起部の位置を、排出路機構板の流路口の上方に配置するだけで、排出路機構板の正確な位置に流路カバーを取り付けることができるので、組み立て作業の効率化を図ることができる。
【発明の効果】
【００３３】
本発明によれば、透光性の素材で形成された遊技板の背面側に、遊技球を排出する排出路が形成された排出路機構板、及び遊技板と排出路機構板との間に設けられ、排出路を覆う流路カバーを含む排出路ユニットを配置し、この排出路ユニットに遊技板に向けて発光する発光体が実装された電飾基板を設けたので、演出性を向上するとともに、組み立て作業の効率化を図ることができる遊技機を提供できる。
【発明を実施するための最良の形態】
【００３４】
以下に、本発明に好適な実施形態について図面に基づいて説明する。なお、以下において説明する実施形態においては、本発明に係る遊技機に好適な実施形態として本発明をいわゆる普通機に適用した場合を示す。
【００３５】
［遊技機の構成］
図１及び図２を用いて、パチンコ遊技機１０の概観について説明する。図１は、本実施形態におけるパチンコ遊技機１０の概観を示す斜視図である。
【００３６】
パチンコ遊技機１０は、略矩形状の本体枠１２と、この本体枠１２の内部に配設される各種の部品と、本体枠１２の前方に開閉自在に軸着された扉１１とから構成されている。扉１１には、略中央に扉１１の前方に開閉自在に軸着された前面扉１１ａが配設されている。前面扉１１ａの上方左右両側には、報知手段としてのスピーカ４６が設けられている。また、扉１１の前面扉１１ａの下方には、上皿２０、下皿２２、発射ハンドル２６などが配設されている。また、この扉１１は、本体枠１２を前面から閉鎖するためのものであり、通常閉鎖した状態で遊技が行われる。
【００３７】
図２は、本実施形態におけるパチンコ遊技機１０の概観を示す分解斜視図である。
本体枠１２は、前面に開口１２ａが形成されている。この本体枠１２の内部には、遊技球が転動する遊技板１４、この遊技板１４の背面側に配置された排出路ユニット６００などが配設されている。なお、遊技板１４、排出路ユニット６００以外の各種の部品（図示せず）については、理解を容易にするために説明を省略する。
【００３８】
遊技板１４は、扉１１が閉鎖された状態で保護板１９に対面するように配設されている。また、遊技板１４は、透光性領域としてその全部が透光性を有する板形状の樹脂（透光性を有する部材）によって形成されている。この透光性を有する部材としては、例えば、アクリル樹脂、ポリカーボネート樹脂、メタクリル樹脂など各種の材質が該当する。また、遊技板１４は、その前面側に、発射された遊技球が転動可能な遊技領域１５を有している。この遊技領域１５は、ガイドレール３０に囲まれ、遊技球が転動可能な領域である。また、遊技板１４における遊技領域１５には複数の障害釘（図示せず）が打ちこまれている。なお、本実施形態において、遊技板１４は、遊技領域の少なくとも一部が透光性領域からなる遊技板とすることができる。
【００３９】
前面扉１１ａの略中央には、透過性を有する保護板１９が配設されている。この保護板１９は、前面扉１１ａが閉鎖された状態で遊技板１４の前面に対面するように配設されている。
【００４０】
上皿２０は、前面扉１１ａの下方に配設され、遊技領域１５に発射させるための遊技球が貯留される。下皿２２は、上皿２０の下方に配設される。また、上皿２０及び下皿２２には、貸し出された遊技球及び、所定の払出条件が成立した場合に払い出された遊技球が貯留される。
【００４１】
発射ハンドル２６は、下皿２２の側方に、本体枠１２に対して回動自在に設けられている。また、発射ハンドル２６の裏側には、駆動装置である発射ソレノイド（図示せず）が設けられている。さらに、発射ハンドル２６の周縁部には、タッチセンサ（図示せず）が設けられている。このタッチセンサが遊技者により触接されたときには、遊技者により発射ハンドル２６が握持されたと検知される。発射ハンドル２６が遊技者によって握持され、かつ、時計回り方向へ回動操作されたときには、その回動角度に応じて発射ソレノイドに電力が供給され、上皿２０に貯留された遊技球が遊技板１４の遊技領域１５に順次発射され、遊技が進められる。
【００４２】
次に、図３を用いて、パチンコ遊技機１０の遊技板１４を詳細に説明する。図３は、本実施形態における遊技板１４の概観を示す正面図である。
【００４３】
遊技板１４には、遊技板１４の表面に配置されたシート１４ａ、２つのガイドレール３０（３０ａ及び３０ｂ）、遊技球が入球可能なクルーン４００、４つの普通入賞口２４３、２４４、２４７、２４８、複数の入賞口を有する３つの入賞装置４５０ａ、４５０ｂ、４５０ｃ、１つの第２種非電動役物２５ｃが設けられている。なお、シート１４ａは、遊技板１４の裏面に配置することもできる。
【００４４】
シート１４ａは、透光性の素材であり、シート１４ａの上部にそれぞれ異なる５つのキャラクタ図柄９０ａ、９０ｂ、９０ｃ、９０ｄ、９０ｅが印刷により表示されている。また、シート１４ａの左側には、文字図柄９５ａが白抜きで印刷により表示されている。また、シート１４ａの右側には、文字図柄９５ｂが白抜きで印刷により表示されている。
【００４５】
２つのガイドレール３０は、遊技板１４の左側に設けられ、遊技領域１５を区画（画定）する外レール３０ａと、その外レール３０ａの内側に配設された内レール３０ｂとから構成される。発射された遊技球は、遊技板１４上に設けられたガイドレール３０に案内されて、遊技板１４の上部に移動し、遊技板１４上に設けられた障害釘（図示せず）などとの衝突により、その進行方向を変えながら遊技板１４の下方に向かって流下する。
【００４６】
クルーン４００は、遊技板１４の略中央に設けられている。このクルーン４００は、楕円状の半球体である。クルーン４００の上部には、このクルーン４００の内部に遊技球を入球可能とする導入孔４１０が左右にそれぞれ設けられている。また、このクルーン４００の内部の底部には、左側に所定領域を形成する普通入賞口２４１が設けられ、右側に所定領域を形成する普通入賞口２４２が設けられている。この２つの普通入賞口２４１、２４２の間には、遊技球をクルーン４００の外部に排出可能な導出孔２３が設けられている。この導出孔２３の下方には、後述する入賞装置４５０ｂが設けられている。
【００４７】
普通入賞口２４３は遊技板１４のクルーン４００の左側に設けられ、普通入賞口２４４は遊技板１４のクルーン４００の右側に設けられ、普通入賞口２４７は遊技板１４の下方左側に設けられ、普通入賞口２４８は遊技板１４の下方右側に設けられている。
【００４８】
入賞装置４５０ａは遊技板１４のクルーン４００の下方左側に設けられ、入賞装置４５０ｂはクルーン４００の導出孔２３の下方に設けられ、入賞装置４５０ｃは遊技板１４のクルーン４００の下方右側に設けられている。入賞装置４５０ａは、その上部に所定領域を形成する普通入賞口２４５と、その略中央部に遊技球が入球しやすい開状態から遊技球が入球し難い閉状態、又は閉状態から開状態へ可動する２つの可動片２５１を有し、所定領域を形成する第２種非電動役物２５ａとを備える。
【００４９】
入賞装置４５０ｂは、その上部に第１の入賞装置としての普通入賞口２４９と、この普通入賞口２４９の下方に設けられ、遊技球が入球しやすい開状態から遊技球が入球し難い閉状態又は閉状態から開状態へ互いに対向する方向に可動する２つの可動片２５１を有し、所定領域を形成する第２の入賞装置としての第２種非電動役物２５ｂとを備える。
【００５０】
入賞装置４５０ｃは、その上部に所定領域を形成する普通入賞口２４６と、その略中央部に遊技球が入球しやすい開状態から遊技球が入球し難い閉状態、又は閉状態から開状態へ可動する２つの可動片２５１を有し、所定領域を形成する第２種非電動役物２５ｄとを備える。
【００５１】
第２種非電動役物２５ｃは、第３の入賞装置の一例であり、入賞装置４５０ｂの第２種非電動役物２５ｂの下方に設けられている。入賞装置４５０ｃは、その略中央部に遊技球が入球しやすい開状態から遊技球が入球し難い閉状態、又は閉状態から開状態へ可動する２つの可動片２５１を有し、所定領域を形成する。
【００５２】
次に、図４を用いて、排出路ユニット６００の構成について説明する。図４は、本実施形態におけるパチンコ遊技機１０の排出路ユニット６００の前面側の分解斜視図である。
【００５３】
排出路ユニット６００は、排出路機構板６１０と、この排出路機構板６１０の一部を遊技板１４側から覆う流路カバー６２０と、排出路機構板６１０と同一平面上でありこの排出路機構板６１０の左側に設けられた発光部６３０ａと、排出路機構板６１０と同一平面上でありこの排出路機構板６１０の右側に設けられた発光部６３０ｂと、排出路機構板６１０と同一平面上でありこの排出路機構板６１０の上側に設けられた発光部６３０ｃと、及び排出路機構板６１０と同一平面上であり発光部６３０ｃの略中央下側に設けられたクルーン発光部６４０とを備える。
【００５４】
排出路機構板６１０は、略鉛直面上に形成された背板６１１と、この背板６１１から遊技板１４（図２参照）方向に延出する複数の仕切壁６１２とを備える。背板６１１と複数の仕切壁６１２とにより、遊技板１４に設けられた上述の各種の入賞装置の入賞口に入球した遊技球を排出する排出路６１３が形成されている。
【００５５】
流路カバー６２０は、排出路６１３を覆うように形成されたカバー本体６２１を備える。このカバー本体６２１には、遊技板１４に設けられた上述の各種の入賞装置の入賞口と排出路機構板６１０の排出路６１３とを連通する開口部６２２ａ、６２２ｃ、６２２ｄ、６２２ｅ、６２２ｆ、６２２ｇ、６２２ｉ、６２２ｊが設けられている。また、カバー本体６２１の表面には、開口部６２２ａ〜６２２ｊ同士間、及び開口部６２２ａ〜６２２ｊからカバー本体６２１の外縁へ延びて、カバー本体６２１を補強する補強リブ６２５が形成されている。
【００５６】
具体的には、排出路ユニット６００が遊技板１４の背面に設けられた場合に、開口部６２２ａは普通入賞口２４３（図３参照）の背後に配置される位置に形成され、開口部６２２ｃは入賞装置４５０ａ（図３参照）の背後に配置される位置に形成され、開口部６２２ｄは普通入賞口２４７（図３参照）の背後に配置される位置に形成され、開口部６２２ｅは入賞装置４５０ｂ（図３参照）の背後に配置される位置に形成され、開口部６２２ｆは第２種非電動役物２５ｃ（図３参照）の背後に配置される位置に形成され、開口部６２２ｇは普通入賞口２４４（図３参照）の背後に配置される位置に形成され、開口部６２２ｉは入賞装置４５０ｃ（図３参照）の背後に配置される位置に形成され、開口部６２２ｊは普通入賞口２４８（図３参照）の背後に配置される位置に形成されている。
【００５７】
また、開口部６２２ａの周縁には、遊技板１４に取り付けられた普通入賞口２４３の背面から排出路６１３に延びる開口部リブ６２３ａが形成されている。また、開口部６２２ｃの周縁には、遊技板１４に取り付けられた入賞装置４５０ａの背面から排出路６１３に延びる開口部リブ６２３ｃが形成されている。また、開口部６２２ｄの周縁には、遊技板１４に取り付けられた普通入賞口２４７の背面から排出路６１３に延びる開口部リブ６２３ｄが形成されている。また、開口部６２２ｅの周縁には、遊技板１４に取り付けられた普通入賞口２４７の背面から排出路６１３に延びる開口部リブ６２３ｅが形成されている。また、開口部６２２ｆの周縁には、遊技板１４に取り付けられた第２種非電動役物２５ｃの背面から排出路６１３に延びる開口部リブ６２３ｆが形成されている。また、開口部６２２ｇの周縁には、遊技板１４に取り付けられた普通入賞口２４４の背面から排出路６１３に延びる開口部リブ６２３ｇが形成されている。また、開口部６２２ｉの周縁には、遊技板１４に取り付けられた入賞装置４５０ｃの背面から排出路６１３に延びる開口部リブ６２３ｉが形成されている。また、開口部６２２ｊの周縁には、遊技板１４に取り付けられた普通入賞口２４８の背面から排出路６１３に延びる開口部リブ６２３ｊが形成されている。
【００５８】
発光部６３０ａは、排出路ユニット６００が遊技板１４の背面に設けられた場合に、遊技板１４に配置されたシート１４ａの文字図柄９５ａ（図３参照）の背後に配置される位置に形成されている。また、発光部６３０ｂは、排出路ユニット６００が遊技板１４の背面に設けられた場合に、遊技板１４に配置されたシート１４ａの文字図柄９５ｂ（図３参照）の背後に配置される位置に形成されている。また、発光部６３０ｃは、排出路ユニット６００が遊技板１４の背面に設けられた場合に、遊技板１４に配置されたシート１４ａのキャラクタ図柄９０ａ〜９０ｅ（図３参照）の背後に配置される位置に形成されている。また、クルーン発光部６４０は、排出路ユニット６００が遊技板１４の背面に設けられた場合に、遊技板１４に取り付けられたクルーン４００（図３参照）の背後に配置される位置に形成されている。
【００５９】
次に、図５を用いて、排出路機構板６１０の構成について説明する。図５は、本実施形態におけるパチンコ遊技機１０の排出路ユニット６００から流路カバー６２０を取り外した状態の正面図である。
【００６０】
排出路機構板６１０の排出路６１３は、遊技球が流下する流路６１４ａ〜６１４ｊと、上述の各種の入賞装置の入賞口に入球した遊技球を流路６１４ａ〜６１４ｊにそれぞれ導く流路口６１５ａ〜６１５ｊとを有する。
【００６１】
具体的には、排出路ユニット６００が遊技板１４の背面に設けられた場合に、流路口６１５ａは、普通入賞口２４３の背後に配置され、流路口６１５ａから下方に向けて流路６１４ａが形成されている。また、流路口６１５ｂは、普通入賞口２４１の下方に配置され、流路口６１５ｂから下方に設けられた流路口６１５ｃに向けて流路６１４ｂが形成されている。また、流路口６１５ｃは、第２種非電動役物２５ａの背後に配置され、流路口６１５ｃから下方に向けて流路６１４ｃが形成されている。また、流路口６１５ｄは、普通入賞口２４７の背後に配置され、流路口６１５ｄから下方に向けて流路６１４ｄが形成されている。また、流路口６１５ｅは、第２種非電動役物２５ｂの背後に配置され、流路口６１５ｅから下方に向けて流路６１４ｅが形成されている。また、流路口６１５ｆは、第２種非電動役物２５ｃの背後に配置され、流路口６１５ｆから下方に向けて流路６１４ｆが形成されている。また、流路口６１５ｇは、普通入賞口２４４の背後に配置され、流路口６１５ｇから下方に向けて流路６１４ｇが形成されている。また、流路口６１５ｈは、普通入賞口２４２の下方に配置され、流路口６１５ｈから下方に設けられた流路口６１５ｉに向けて流路６１４ｈが形成されている。また、流路口６１５ｉは、第２種非電動役物２５ｄの背後に配置され、流路口６１５ｉから下方に向けて流路６１４ｉが形成されている。また、流路口６１５ｊは、普通入賞口２４８の背後に配置され、流路口６１５ｊから下方に向けて流路６１４ｊが形成されている。
【００６２】
流路口６１５ａ、６１５ｃ〜６１５ｇ、６１５ｉ、及び６１５ｊには、それぞれその略中央を通過した遊技球を検出したときに、入賞信号を発信する入賞口検出手段としての入賞球センサ１０１ａ、１０１ｃ〜１０１ｇ、１０１ｉ、及び１０１ｊが設けられている。
【００６３】
流路６１４ｂ及び６１４ｇを形成する部分の背板６１１には、流路６１４ｂ及び６１４ｇを流下する遊技球を下方に導く仕切壁６１２に沿って、背板６１１を貫通する溝６１６が設けられている。
【００６４】
次に、上述の入賞装置の入賞口に入球した遊技球の動作について説明する。普通入賞口２４３に入球した遊技球は、流路口６１５ａを通過し流路６１４ａを流下する。このとき、流路口６１５ａに設けられた入賞球センサ１０１ａは、入賞信号を発信する。また、普通入賞口２４１に入球した遊技球は、流路口６１５ｂを通過し流路６１４ｂを流下し流路口６１５ｃに落下し、この流路口６１５ｃを通過する。このとき、流路口６１５ｃに設けられた入賞球センサ１０１ｃは、入賞信号を発信する。また、第２種非電動役物２５ａに入球した遊技球は、流路口６１５ｃを通過し流路６１４ｃを流下する。このとき、流路口６１５ｃに設けられた入賞球センサ１０１ｃは、入賞信号を発信する。また、普通入賞口２４７に入球した遊技球は、流路口６１５ｄを通過し流路６１４ｄを流下する。このとき、流路口６１５ｄに設けられた入賞球センサ１０１ｄは、入賞信号を発信する。また、第２種非電動役物２５ｂに入球した遊技球は、流路口６１５ｅを通過し流路６１４ｅを流下する。このとき、流路口６１５ｅに設けられた入賞球センサ１０１ｅは、入賞信号を発信する。また、第２種非電動役物２５ｃに入球した遊技球は、流路口６１５ｆを通過し流路６１４ｆを流下する。このとき、流路口６１５ｆに設けられた入賞球センサ１０１ｆは、入賞信号を発信する。また、普通入賞口２４４に入球した遊技球は、流路口６１５ｇを通過し流路６１４ｇを流下する。このとき、流路口６１５ｇに設けられた入賞球センサ１０１ｇは、入賞信号を発信する。また、普通入賞口２４２に入球した遊技球は、流路口６１５ｈを通過し流路６１４ｈを流下し流路口６１５ｉに落下し、この流路口６１５ｉを通過する。このとき、流路口６１５ｉに設けられた入賞球センサ１０１ｉは、入賞信号を発信する。また、第２種非電動役物２５ｄに入球した遊技球は、流路口６１５ｉを通過し流路６１４ｉを流下する。このとき、流路口６１５ｉに設けられた入賞球センサ１０１ｉは、入賞信号を発信する。また、普通入賞口２４８に入球した遊技球は、流路口６１５ｊを通過し流路６１４ｊを流下する。このとき、流路口６１５ｊに設けられた入賞球センサ１０１ｊは、入賞信号を発信する。
【００６５】
次に、発光部６３０ａ〜６３０ｃ、及びクルーン発光部６４０の構成について説明する。
【００６６】
発光部６３０ａは、略鉛直方向に並べて遊技板１４に向けて配置された拡散部６３１ｆ、６３１ｇ、及び６３１ｈと、これらの拡散部６３１ｆ〜６３１ｈに跨って配置された電飾基板６５０ａとを備える。この電飾基板６５０ａには、６個のＬＥＤ６５１が実装され、これらのＬＥＤ６５１が拡散部６３１ｆ〜６３１ｈ内部にそれぞれ２個ずつ配置されている。
【００６７】
発光部６３０ｂは、略鉛直方向に並べて遊技板１４に向けて配置された拡散部６３１ｉ、６３１ｊ、及び６３１ｋと、これらの拡散部６３１ｉ〜６３１ｋに跨って配置された電飾基板６５０ｂとを備える。この電飾基板６５０ｂには、６個のＬＥＤ６５１が実装され、これらのＬＥＤ６５１が拡散部６３１ｉ〜６３１ｋ内部にそれぞれ２個ずつ配置されている。
【００６８】
発光部６３０ｃは、略水平方向に並べて遊技板１４に向けて配置された拡散部６３１ａ、６３１ｂ、６３１ｃ、６３１ｄ及び６３１ｅと、これらの拡散部６３１ａ〜６３１ｅに跨って配置された電飾基板６５０ｃとを備える。この電飾基板６５０ｃには、１０個のＬＥＤ６５１が実装され、これらのＬＥＤ６５１が拡散部６３１ａ〜６３１ｅ内部にそれぞれ２個ずつ配置されている。
【００６９】
クルーン発光部６４０は、電飾基板６５０ｄを備える。この電飾基板６５０ｄには、４個のＬＥＤ６５１が実装されている。
【００７０】
次に、図６を用いて、発光部６３０ａの構成について説明する。図６は、本実施形態におけるパチンコ遊技機１０の排出路ユニット６００の発光部６３０ａ部分の断面図である。
【００７１】
発光部６３０ａは、遊技板１４の表面に配置されたシート１４ａの文字図柄９５ａの背後に設けられた拡散部６３１ｆ〜６３１ｈと、この拡散部６３１ｆ〜６３１ｈの遊技板１４に対向する側に設けられ、文字図柄９５ａの背後に向けて発光するＬＥＤ６５１が実装された電飾基板６５０ａとを備える。拡散部６３１ｆ〜６３１ｈは、遊技板１４とＬＥＤ６５１との間に、それぞれ４つの傾斜面６３２によって囲まれた拡散空間６３３を有する。この４つの傾斜面６３２は、拡散空間６３３における内法が、ＬＥＤ６５１から遊技板１４に向かって大きくなるように形成されている。なお、発光部６３０ｂの拡散部６３１ｉ〜６３１ｋ、及び発光部６３０ｃの拡散部６３１ａ〜６３１ｅも同様に構成されている。また、傾斜面６３２は、ＬＥＤ６５１の光を反射する白色のポリカーボネートにより形成されている。なお、傾斜面６３２は、光を反射する素材であれば、例えば、鏡面仕上げされた素材を用いることができる。
【００７２】
次に、図７及び図８を用いて、排出路ユニット６００の背面側の構成について説明する。図７は、本実施形態におけるパチンコ遊技機１０の遊技板１４に取り付けられた排出路ユニット６００の背面図である。図８は、本実施形態におけるパチンコ遊技機１０の排出路ユニット６００背面側の分解斜視図である。
【００７３】
電飾基板６５０ａは、発光部６３０ａの背面側から取り付けられている。また、電飾基板６５０ｂは、発光部６３０ｂの背面側から取り付けられている。電飾基板６５０ｃは、発光部６３０ｃの背面側から取り付けられている。電飾基板６５０ｄは、クルーン発光部６４０の背面側から取り付けられている。
【００７４】
流路カバー６２０において、普通入賞口２４３（図３参照）の背面に設けられる開口部６２２ａの開口部リブ６２３ａ、普通入賞口２４７（図３参照）の背面に設けられる開口部６２２ｄの開口部リブ６２３ｄ、普通入賞口２４４（図３参照）の背面に設けられる開口部６２２ｇの開口部リブ６２３ｇ、及び普通入賞口２４８（図３参照）の背面に設けられる開口部６２２ｊの開口部リブ６２３ｊは、カバー本体６２１の排出路機構板６１０に対向する面から排出路機構板６１０に向けて所定の寸法で延出して形成されている。
【００７５】
また、カバー本体６２１の排出路機構板６１０に対向する面には、開口部６２２ａ、開口部６２２ｃ、開口部６２２ｄ、開口部６２２ｅ、開口部６２２ｇ、開口部６２２ｉ、及び開口部６２２ｊの下部に、それぞれ排出路機構板６１０に向けて突出する突起部６２４が形成されている。
【００７６】
次に、図９を用いて、突起部６２４の構成について説明する。図９は、本実施形態におけるパチンコ遊技機１０の遊技板１４に普通入賞口２４３が取り付けられた部分の断面図である。
【００７７】
突起部６２４は、流路カバー６２０の開口部６２２ａと排出路機構板６１０の流路口６１５ａとの間に流路口６１５ａの略中央に向かって傾斜する傾斜部分６２４ａを有する。
【００７８】
次に、普通入賞口２４３に入球した遊技球の動作について説明する。普通入賞口２４３に入球した遊技球は、開口部６２２ａを通過し、開口部リブ６２３ａを転がり突起部６２４に到達する。突起部６２４に到達した遊技球は、傾斜部分６２４ａに沿って、流路口６１５ａの略中央に向かって落下し、流路口６１５ａを通過して流路６１４ａを流下する。このとき、流路口６１５ａに設けられた入賞球センサ１０１ａは、入賞信号を発信する。
【００７９】
次に、図１０及び図１１を用いて、第２種非電動役物２５ｂ及び第２種非電動役物２５ｃの可動片２５１を可動させる連動機構５００の構成について説明する。
【００８０】
図１０は、本実施形態におけるパチンコ遊技機１０の連動機構５００が設けられた部分の正面図である。なお、図１０では、理解を容易にするため、遊技板１４の記載を省略している。また、図１０では、理解を容易にするため、閉鎖用排出路５２０、５３０の記載を省略し、これらと開放用排出路５１０との接続部分のみ記載している。図１１は、図１０中のＡＡ断面におけるパチンコ遊技機１０の連動機構５００が設けられた部分の断面図である。また、図１０及び図１１では、第２種非電動役物２５ｂの２つの可動片２５１が閉状態であり、第２種非電動役物２５ｃの２つの可動片２５１が開状態である。
【００８１】
連動機構５００は、普通入賞口２４９に入球した遊技球が流下する開放用排出路５１０と、開放用排出路５１０に接続し、第２種非電動役物２５ｂに入球した遊技球が流下する閉鎖用排出路５２０と、開放用排出路５１０に接続し、第２種非電動役物２５ｃに入球した遊技球が流下する閉鎖用排出路５３０と、第２種非電動役物２５ｂ、及び第２種非電動役物２５ｃにそれぞれ設けられた２つの可動片２５１を可動する４つの可動片開閉機構５５０とを備える。
【００８２】
開放用排出路５１０は、普通入賞口２４９、第２種非電動役物２５ｂ、及び第２種非電動役物２５ｃが設けられた位置に沿うように、遊技板１４の背後において、普通入賞口２４９から下方へ向けて延びている。
【００８３】
閉鎖用排出路５２０は、第２種非電動役物２５ｂの可動片２５１と開放用排出路５１０との間に設けられ、第２種非電動役物２５ｂから下方に延びてから、第２種非電動役物２５ｃより上方で開放用排出路５１０に接続されてからさらに排出路機構板６１０の流路口６１５ｅに向かって延びている。流路口６１５ｅには、入賞球センサ１０１ｅが設けられている。
【００８４】
閉鎖用排出路５３０は、第２種非電動役物２５ｃの可動片２５１と開放用排出路５１０との間に設けられ、第２種非電動役物２５ｃから下方に延びてから開放用排出路５１０に接続されている。
【００８５】
２つの可動片２５１は、遊技球が通過可能な所定の間隔をあけ、互いに対面するように左右対称で配置されている。可動片２５１の形状は、正面視で基端部から先端部に向けて徐々に細くなり、所定の厚さを有する。
【００８６】
可動片開閉機構５５０は、第２種非電動役物２５ｂ、及び第２種非電動役物２５ｃにそれぞれ設けられた２つの可動片２５１にそれぞれ接続されている。この２つの可動片２５１にそれぞれ接続された可動片開閉機構５５０は、開放用排出路５１０、閉鎖用排出路５２０又は閉鎖用排出路５３０を挟んで互いに対面するように左右対称で配置されている。
【００８７】
以下に、右側の可動片２５１に接続された可動片開閉機構５５０の構成について説明する。可動片開閉機構５５０は、可動片２５１の基端部に一端側が挿入され固定された可動片軸２５３と、可動片軸２５３の中間部に固定された回動可能な第１歯車２５２と、可動片軸２５３の他端側に固定された閉鎖用球受部２５４と、第１歯車２５２の歯と互いに歯が係合し回動可能な第２歯車２５６と、第２歯車２５６の中心に一端側が挿入され固定された球受軸２５５と、球受軸２５５の他端側に固定された開放用球受部２５７とを備える。
【００８８】
第１歯車２５２は、略円形状の外縁全周に歯が形成され、可動片軸２５３を回動軸として回動するように設けられている。閉鎖用球受部２５４は、略矩形の板状に形成され、その１辺が可動片軸２５３に固定されている。閉鎖用球受部２５４は、可動片２５１が閉状態のときには、閉鎖用排出路５２０の外部に配置され、可動片２５１が開状態のときには、閉鎖用排出路５２０の内部に配置されている。また、閉鎖用球受部２５４は、第１歯車２５２が可動片軸２５３を回転軸として右方向に回動することで閉鎖用排出路５２０の外部から内部に移動し、左方向に回動することで閉鎖用排出路５２０の内部から外部へ移動する。
【００８９】
第２歯車２５６は、略円形状の外縁全周に歯が形成され、球受軸２５５を回動軸として回動するように設けられている。開放用球受部２５７は、略矩形の板状に形成され、その１辺が球受軸２５５に固定されている。開放用球受部２５７は、可動片２５１が閉状態のときには、開放用排出路５１０の外部に配置され、可動片２５１が開状態のときには、開放用排出路５１０の内部に配置されている。また、開放用球受部２５７は、第２歯車２５６が球受軸２５５を回転軸として右方向に回動することで開放用排出路５１０の外部から内部に移動し、左方向に回動することで開放用排出路５１０の内部から外部へ移動する。
【００９０】
なお、左側の可動片２５１に接続された可動片開閉機構５５０の構成は、右側の可動片２５１に接続された可動片開閉機構５５０の構成と左右対称の構成である。また、第２種非電動役物２５ａ、２５ｄの２つの可動片は、可動片開閉機構５５０に相当する構成により可動される。
【００９１】
次に、図１２及び図１３を用いて、連動機構５００による第２種非電動役物２５ｂの動作について説明する。図１２は、第２種非電動役物２５ｂにおいて、２つの可動片２５１が閉状態から開状態に可動する場合の説明図である。図１２（ａ）は、２つの可動片２５１が閉状態である第２種非電動役物２５ｂの正面図であり、図１２（ｂ）は、２つの可動片２５１が開状態である第２種非電動役物２５ｂの正面図である。
【００９２】
まず、普通入賞口２４９に入球した遊技球は、連動機構５００の開放用排出路５１０の内部に入って下方に流下する。この開放用排出路５１０の内部を流下する遊技球は、開放用排出路５１０の内部に配置された左右両側に位置する２つの開放用球受部２５７に衝突する。すると、これらの開放用球受部２５７が下方に押し下げられることにより、これらの開放用球受部２５７は開放用排出路５１０の内部から外部へ移動する。これにより、右側の第２歯車２５６は左方向に回動し、この右側の第２歯車２５６の歯と歯が係合する右側の第１歯車２５２は右方向に回動し、右側の閉鎖用球受部２５４は閉鎖用排出路５２０の外部から内部へ移動する。また、左側の第２歯車２５６は右方向に回動し、この左側の第２歯車２５６の歯と歯が係合する左側の第１歯車２５２は左方向に回動し、左側の閉鎖用球受部２５４は閉鎖用排出路５２０の外部から内部へ移動する。これらの第１歯車２５２の回動に伴い２つの可動片２５１は、閉状態から開状態へ可動する。
【００９３】
図１３は、第２種非電動役物２５ｂにおいて、２つの可動片２５１が開状態から閉状態に可動する場合の説明図である。図１３（ａ）は、２つの可動片２５１が開状態である第２種非電動役物２５ｂの正面図であり、図１３（ｂ）は、２つの可動片２５１が閉状態である第２種非電動役物２５ｂの正面図である。
【００９４】
まず、第２種非電動役物２５ｂに入球した遊技球は、閉鎖用排出路５２０の内部に配置された左右両側に位置する２つの閉鎖用球受部２５４に衝突する。すると、これらの閉鎖用球受部２５４が下方に押し下げられることにより、これらの閉鎖用球受部２５４は閉鎖用排出路５２０の内部から外部へ移動する。これにより、右側の第１歯車２５２は左方向に回動し、この右側の第１歯車２５２の歯と歯が係合する右側の第２歯車２５６は右方向に回動し、右側の開放用球受部２５７は開放用排出路５１０の外部から内部へ移動する。また、左側の第１歯車２５２は右方向に回動し、この左側の第１歯車２５２の歯と歯が係合する左側の第２歯車２５６は左方向に回動し、左側の閉鎖用球受部２５４は閉鎖用排出路５２０の内部から外部へ移動する。これらの第１歯車２５２の回動に伴い２つの可動片２５１は、開状態から閉状態へ可動する。
【００９５】
以上、連動機構５００による第２種非電動役物２５ｂの動作について説明したが、第２種非電動役物２５ｃも同様に動作する。換言すると、連動機構５００は、第１の入賞装置としての普通入賞口２４９に遊技球が入球したことにより、第２の入賞装置としての第２種非電動役物２５ｂ及び第３の入賞装置としての第２種非電動役物２５ｃの可動片２５１を閉状態から開状態へ可動する第１連動手段の一例として機能する。また、連動機構５００は、第２の入賞装置としての第２種非電動役物２５ｂに遊技球が入球したことにより、第３の入賞装置としての第２種非電動役物２５ｃの可動片２５１を閉状態から開状態へ可動する第２連動手段の一例として機能する。なお、第２種非電動役物２５ａ、２５ｄも、連動機構５００に相当する構成により同様に動作する。
【００９６】
次に、各普通入賞口２４１〜２４９、第２種非電動役物２５ａ〜２５ｄ、流路口６１５ａ〜６１５ｊ、及び入賞球センサ１０１ａ、１０１ｃ〜１０１ｇ、１０１ｉ、１０１ｊの関係について説明する。
【００９７】
図１４は、本実施形態におけるパチンコ遊技機１０における普通入賞口２４１〜２４９、第２種非電動役物２５ａ〜２５ｄと、これらの背後に設けられた流路口６１５ａ〜６１５ｊと、これらに設けられた入賞球センサ１０１ａ、１０１ｃ〜１０１ｇ、１０１ｉ、１０１ｊとの対応関係、及び普通入賞口２４１〜２４９と、第２種非電動役物２５ａ〜２５ｄとの連動関係を示す説明図である。
【００９８】
図１４中の１３か所のますは、普通入賞口２４１〜２４９、第２種非電動役物２５ａ〜２５ｄと、これらの背後に設けられた流路口６１５ａ〜６１５ｊと、これらの流路口６１５ａ〜６１５ｊに設けられた入賞球センサ１０１ａ、１０１ｃ〜１０１ｇ、１０１ｉ、１０１ｊとの対応関係をそれぞれ示すものであり、これらのますの位置は、遊技板１４（図３参照）上の普通入賞口２４１〜２４９、第２種非電動役物２５ａ〜２５ｄのそれぞれの位置に対応させたものである。
【００９９】
普通入賞口２４１の背後には流路口６１５ｂが設けられ、この流路口６１５ｂは流路口６１５ｃに連通している。この流路口６１５ｃには入賞球センサ１０１ｃが設けられている。普通入賞口２４２の背後には流路口６１５ｈが設けられ、この流路口６１５ｈは流路口６１５ｉに連通している。この流路口６１５ｉには入賞球センサ１０１ｉが設けられている。普通入賞口２４３の背後には流路口６１５ａが設けられ、この流路口６１５ａには入賞球センサ１０１ａが設けられている。普通入賞口２４４の背後には流路口６１５ｇが設けられ、この流路口６１５ｇには入賞球センサ１０１ｇが設けられている。普通入賞口２４５の背後の下方には流路口６１５ｃが設けられ、この流路口６１５ｃには入賞球センサ１０１ｃが設けられている。普通入賞口２４６の背後の下方には流路口６１５ｉが設けられ、この流路口６１５ｉには入賞球センサ１０１ｉが設けられている。普通入賞口２４７の背後には流路口６１５ｄが設けられ、この流路口６１５ｄには入賞球センサ１０１ｄが設けられている。普通入賞口２４８の背後には流路口６１５ｊが設けられ、この流路口６１５ｊには入賞球センサ１０１ｊが設けられている。普通入賞口２４９の背後の下方には流路口６１５ｅが設けられ、この流路口６１５ｅには入賞球センサ１０１ｅが設けられている。第２種非電動役物２５ａの背後には流路口６１５ｃが設けられ、この流路口６１５ｃには入賞球センサ１０１ｃが設けられている。第２種非電動役物２５ｂの背後には流路口６１５ｅが設けられ、この流路口６１５ｅには入賞球センサ１０１ｅが設けられている。第２種非電動役物２５ｃの背後には流路口６１５ｆが設けられ、この流路口６１５ｆには入賞球センサ１０１ｆが設けられている。第２種非電動役物２５ｄの背後には流路口６１５ｉが設けられ、この流路口６１５ｉには入賞球センサ１０１ｉが設けられている。
【０１００】
図１４中の矢印の向きは、普通入賞口２４１〜２４９と、第２種非電動役物２５ａ〜２５ｄとの連動関係を示している。
【０１０１】
図１４に示すように、普通入賞口２４１、普通入賞口２４３、及び普通入賞口２４５に遊技球が入球すると、第２種非電動役物２５ａの２つの可動片２５１（図３参照）が閉状態から開状態に可動する。また、普通入賞口２４２、普通入賞口２４４、普通入賞口２４６、に遊技球が入球すると、第２種非電動役物２５ｄの２つの可動片２５１（図３参照）が閉状態から開状態に可動する。また、普通入賞口２４９に遊技球が入球すると、第２種非電動役物２５ｂ、第２種非電動役物２５ｃの２つの可動片２５１（図３参照）が閉状態から開状態に可動する。また、第２種非電動役物２５ｂに遊技球が入球すると、第２種非電動役物２５ｃの２つの可動片２５１（図３参照）が閉状態から開状態に可動する。
【０１０２】
［遊技機の電気的構成］
本実施形態におけるパチンコ遊技機１０の制御回路について図１５を用いて説明する。図１５は、本実施形態におけるパチンコ遊技機１０の制御回路を示すブロック図である。
【０１０３】
主制御回路６０は、遊技制御手段としてのメインＣＰＵ６６と、このメインＣＰＵ６６に接続されたメインＲＯＭ（読み出し専用メモリ）６８、メインＲＡＭ（読み書き可能メモリ）７０、リセット用クロックパルス発生回路６２、初期リセット回路６４、シリアル通信用ＩＣ７２とを備えている。この主制御回路６０は、遊技の進行を制御する。
【０１０４】
メインＣＰＵ６６には、後述するメインＲＯＭ６８に記憶されたプログラムに従って、各種の処理を実行する機能を有する。
【０１０５】
メインＲＯＭ６８には、メインＣＰＵ６６によりパチンコ遊技機１０の動作を制御するためのプログラムや、このプログラムの実行に必要なデータや、後述する入賞コマンドテーブル（図１８参照）などが記憶されている。
【０１０６】
メインＲＡＭ７０は、メインＣＰＵ６６の一時記憶領域として種々のフラグや変数の値を記憶する機能を有する。メインＲＡＭ７０に記憶されるデータの具体例としては、結果データ、後述する副制御回路２００にコマンドを供給するためのデータ、変数などが位置付けられている。
【０１０７】
リセット用クロックパルス発生回路６２は、所定の周波数のクロックパルスを生成する。このリセット用クロックパルス発生回路６２は、後述するシステムタイマ割込処理を実行するために、所定の周期（例えば２ミリ秒）毎にクロックパルスを発生する。また、初期リセット回路６４は、電源投入時においてリセット信号を生成する。また、シリアル通信用ＩＣ７２は、メインＣＰＵ６６から供給された各種のコマンドを後述する副制御回路２００に送信する。
【０１０８】
また、主制御回路６０には、入賞球センサ１０１ａ、１０１ｃ〜１０１ｇ、１０１ｉ、１０１ｊ、バックアップクリアスイッチ１２４が接続されている。
【０１０９】
入賞球センサ１０１ａ、１０１ｃ〜１０１ｇ、１０１ｉ、１０１ｊは、図１４に示すように、普通入賞口２４１〜２４９、第２種非電動役物２５ａ〜２５ｄの背後に設けられた流路口６１５ａ、６１５ｃ〜６１５ｇ、６１５ｉ、６１５ｊにそれぞれ設けられている。これらの入賞球センサ１０１ａ、１０１ｃ〜１０１ｇ、１０１ｉ、１０１ｊは、普通入賞口２４１〜２４９、第２種非電動役物２５ａ〜２５ｄに遊技球が入球し、流路口６１５ａ、６１５ｃ〜６１５ｇ、６１５ｉ、６１５ｊを遊技球が通過したときに、各普通入賞口２４１〜２４９、第２種非電動役物２５ａ〜２５ｄ毎の入賞信号を主制御回路６０に発信する。換言すると、入賞球センサ１０１ａ、１０１ｃ〜１０１ｇ、１０１ｉ、１０１ｊは、流路口に設けられ、当該流路口を通過した遊技球を検出したときに、入賞信号を発信する入賞口検出手段の一例として機能する。
【０１１０】
なお、メインＣＰＵ６６は、この各普通入賞口２４１〜２４９、第２種非電動役物２５ａ〜２５ｄ毎の入賞信号を、各入賞信号毎の各種の入賞コマンド（図１８参照）として、シリアル通信用ＩＣ７２に供給する。シリアル通信用ＩＣ７２は、これらの入賞コマンドを副制御回路２００に送信する。
【０１１１】
バックアップクリアスイッチ１２４は、パチンコ遊技機１０に内蔵されており、電断時などにおけるバックアップデータを遊技場の管理者の操作に応じてクリアする機能を有する。例えば、筐体の電源を落とすことにより、結果データがリセットされる。
【０１１２】
また、主制御回路６０には、払出・発射制御回路１２６が接続されている。この払出・発射制御回路１２６には、遊技球の払出を行う払出装置１２８、遊技球の発射を行う発射装置１３０、コイン投入機１５０が接続されている。
【０１１３】
この払出・発射制御回路１２６は、上述の入賞球センサ１０１ａ、１０１ｃ〜１０１ｇ、１０１ｉ、１０１ｊから入賞信号が発信された場合に主制御回路６０から供給される賞球制御コマンド、コイン投入機１５０から供給される貸し球制御信号を受け取り、払出装置１２８に対して所定の信号を送信することにより、払出装置１２８に所定量の遊技球を払い出させる。また、払出・発射制御回路１２６は、発射装置１３０に対して発射信号を供給することにより、遊技球を発射させる制御を行う。
【０１１４】
また、発射装置１３０には、前述した発射ソレノイド、タッチセンサなどの遊技球を発射させるための装置が備えられている。発射ハンドル２６が遊技者によって握持され、かつ、時計回り方向へ回動操作されたときには、その回動角度に応じて発射ソレノイドに電力が供給され、上皿２０に貯留された遊技球が発射ソレノイドにより遊技板１４（図３参照）の遊技領域１５（図３参照）に順次発射される。
【０１１５】
なお、本実施形態においては、主制御回路６０から副制御回路２００に対してコマンドを供給するとともに、副制御回路２００から主制御回路６０に対して信号を供給できないように構成したが、これに限らず、副制御回路２００から主制御回路６０に対して信号を送信できるように構成しても問題ない。
【０１１６】
副制御回路２００は、サブＣＰＵ２０６、プログラムＲＯＭ２０８、ワークＲＡＭ２１０、初期リセット回路２２０、音声制御回路２３０、駆動回路２４０を備える。副制御回路２００は、主制御回路６０からの指令に応じて遊技の進行に応じた演出を実行する。
【０１１７】
サブＣＰＵ２０６には、プログラムＲＯＭ２０８、ワークＲＡＭ２１０などが接続されている。サブＣＰＵ２０６は、このプログラムＲＯＭ２０８に記憶されたプログラムに従って、各種の処理を実行する機能を有する。特に、サブＣＰＵ２０６は、主制御回路６０から供給される各種のコマンドに従って、副制御回路２００の制御を行う。
【０１１８】
プログラムＲＯＭ２０８には、サブＣＰＵ２０６によりパチンコ遊技機１０の遊技演出を制御するためのプログラムや、発光報知態様テーブル（図２２参照）、音報知態様テーブル（図２３参照）などの各種テーブルが記憶されている。
【０１１９】
なお、本実施形態においては、プログラム、テーブルなどを記憶する記憶手段として、主制御回路６０ではメインＲＯＭ６８を、副制御回路２００ではプログラムＲＯＭ２０８を用いるように構成したが、これに限らず、制御手段を備えたコンピュータにより読み取り可能な記憶媒体であれば別態様であってもよく、例えば、ハードディスク装置、ＣＤ−ＲＯＭ及びＤＶＤ−ＲＯＭ、ＲＯＭカートリッジなどの記憶媒体に、プログラム、テーブルなどが記録されていてもよい。もちろん、プログラムＲＯＭ２０８の代替としてメインＲＯＭ６８を用いてもよい。また、これらのプログラムは、予め記録されているものでなくとも、電源投入後にこれらのプログラムをダウンロードし、主制御回路６０ではメインＲＡＭ７０、副制御回路２００ではワークＲＡＭ２１０などに記録されるものでもよい。さらにまた、プログラムの各々が別々の記憶媒体に記録されていてもよい。
【０１２０】
ワークＲＡＭ２１０は、サブＣＰＵ２０６の一時記憶領域として種々のフラグや変数の値を記憶する機能を有する。ワークＲＡＭ２１０は、入賞球センサ１０１ａ、１０１ｃ〜１０１ｇ、１０１ｉ、１０１ｊのそれぞれに対応した入賞コマンドを受信した順序を入賞順序として記憶する入賞順序カウンタなど、各種の変数などが位置付けられている。
【０１２１】
なお、本実施形態においては、メインＣＰＵ６６の一時記憶領域としてメインＲＡＭ７０を、サブＣＰＵ２０６の一時記憶領域としてワークＲＡＭ２１０を用いているが、これに限らず、読み書き可能な記憶媒体であればよい。
【０１２２】
音声制御回路２３０は、音声に関する制御を行う音源ＩＣ２３２、各種の音声データを記憶する音声データＲＯＭ２３４、音声信号を増幅するための増幅器２３６（以下、ＡＭＰ２３６と称する。）から構成されている。また、音源ＩＣ２３２は、電源投入時においてリセット信号を生成する初期リセット回路２２０と接続されている。また、ＡＭＰ２３６には、スピーカ４６が接続されている。
【０１２３】
駆動回路２６０は、ドライブ回路２６２と、駆動データＲＯＭ２６４を備え、サブＣＰＵ２０６に接続されている。また、ドライブ回路２６２には、電飾基板６５０ａ〜６５０ｄが接続され、この電飾基板６５０ａ〜６５０ｄにはそれぞれ複数のＬＥＤ６５１が実装されている。駆動回路２６０は、サブＣＰＵ２０６から送信される各種の発光データに基づき、電飾基板６５０ａ〜６５０ｄに実装されたＬＥＤ６５１の発光を制御する。換言すると、駆動回路２６０は、発光体としてのＬＥＤ６５１に発光させる制御を行う電飾制御手段の一例として機能する。
【０１２４】
［主制御メイン処理］
図１６を用いて、主制御メイン処理を説明する。
【０１２５】
ステップＳ１１においては、初期化設定処理を行う。この処理において、メインＣＰＵ６６は、電源投入に応じて、メインＲＯＭ６８から起動プログラムを読み込むとともに、メインＲＡＭ７０に記憶されるフラグなどを初期化し、設定する処理を行う。この処理が終了した場合には、ステップＳ１７に処理を移す。
【０１２６】
ステップＳ１７においては、遊技情報データ生成処理を行う。この処理において、メインＣＰＵ６６は、遊技場管理サーバ（図示せず）に送信するための遊技情報データに関する遊技状態コマンドを生成し、メインＲＡＭ７０に記憶する処理を行う。この処理が終了した場合には、ステップＳ２０に処理を移す。
【０１２７】
ステップＳ２０においては、入賞コマンド選択処理を行う。この処理において、メインＣＰＵ６６は、入賞球センサ１０１ａ、１０１ｃ〜１０１ｇ、１０１ｉ、１０１ｊから受信した入賞信号毎に、後述する入賞コマンドテーブル（図１８参照）を参照して、それぞれの入賞信号に対応した入賞コマンドを選択する処理を行う。この処理が終了した場合には、ステップＳ２１に処理を移す。
【０１２８】
ステップＳ２１においては、入賞コマンド出力制御処理を行う。この処理において、メインＣＰＵ６６は、ステップＳ２０の処理により選択した各種の入賞コマンドを副制御回路２００への出力制御する処理を行う。この処理が終了した場合には、ステップＳ２２に処理を移す。
【０１２９】
ステップＳ２２においては、払出処理を行う。この処理において、メインＣＰＵ６６は、入賞球センサ１０１ａ、１０１ｃ〜１０１ｇ、１０１ｉ、１０１ｊから受信した入賞信号毎に、それぞれの入賞信号に対応する賞球制御コマンドを払出・発射制御回路１２６に送信する。この処理が終了した場合には、ステップＳ１７に処理を移す。
【０１３０】
［システムタイマ割込処理］
また、メインＣＰＵ６６は、メイン処理を実行している状態であっても、メイン処理を中断させ、システムタイマ割込処理を実行する場合がある。リセット用クロックパルス発生回路６２から所定の周期（例えば２ミリ秒）毎に発生されるクロックパルスに応じて、以下のシステムタイマ割込処理を実行する。図１７を用いて、システムタイマ割込処理を説明する。
【０１３１】
ステップＳ４２においては、各レジスタを退避させる処理を行う。この処理において、メインＣＰＵ６６は、メインＲＡＭ７０の各レジスタ（記憶領域）に記憶される実行中のプログラムを退避させる処理を行う。この処理が終了した場合には、ステップＳ４４に処理を移す。
【０１３２】
ステップＳ４４においては、入力ポート読込処理を行う。この処理において、メインＣＰＵ６６は、各ポートからの検知信号を読み込む処理を行う。この処理が終了した場合には、ステップＳ４６に処理を移す。
【０１３３】
ステップＳ４６においては、スイッチ入力検出処理を行う。この処理において、メインＣＰＵ６６は、入賞球センサ１０１ａ、１０１ｃ〜１０１ｇ、１０１ｉ、１０１ｊからの入賞信号や、その他の各スイッチからの検知信号を検出する処理を行う。この処理が終了した場合には、ステップＳ４７に処理を移す。
【０１３４】
ステップＳ４７においては、各レジスタを復帰させる処理を行う。この処理において、メインＣＰＵ６６は、ステップＳ４２で退避したプログラムを各レジスタに復帰させる処理を行う。この処理が終了した場合には、ステップＳ４９に処理を移す。
【０１３５】
ステップＳ４９においては、割込許可処理を行う。この処理において、メインＣＰＵ６６は、割込発生前のアドレスへ復帰する処理を行う。この処理が終了した場合には、本サブルーチンを終了し、メイン処理を実行させる。
【０１３６】
［入賞コマンドテーブル］
次に、メインＣＰＵ６６がステップＳ２０の入賞コマンド選択処理（図１６参照）を行うときに参照する入賞コマンドテーブルについて説明する。図１８は、入賞コマンドテーブルを示す説明図である。なお、図１８においては、理解を容易にするため、複数の入賞コマンドの他に、これらの入賞コマンドにそれぞれ対応する入賞装置（図３、図１４参照）、これらの入賞装置の背後に設けられた流路口（図５、図１４参照）、及びこれらの流路口にそれぞれ設けられた入賞球センサ（図５、図１４参照）を記載している。
【０１３７】
入賞コマンドテーブルは、メインＲＯＭ６８に記憶されている。この入賞コマンドテーブルでは、入賞球センサ１０１ａ、１０１ｃ〜１０１ｇ、１０１ｉ、１０１ｊのそれぞれから発信された入賞信号と、副制御回路２００への出力する各種の入賞コマンドが対応付けられている。具体的には、以下の通りである。
【０１３８】
入賞球センサ１０１ａには、右開放入賞コマンドが対応付けられている。メインＣＰＵ６６は、入賞球センサ１０１ａからの入賞信号毎に、右開放入賞コマンドを選択する処理を行う。この入賞球センサ１０１ａは、流路口６１５ａに設けられ、この流路口６１５ａには普通入賞口２４３に入球した遊技球が流下して通過する。
【０１３９】
入賞球センサ１０１ｃには、右開放入賞コマンド又は右閉鎖入賞コマンドが対応付けられている。メインＣＰＵ６６は、入賞球センサ１０１ｃからの入賞信号毎に、右開放入賞コマンド又は右閉鎖入賞コマンドを交互に選択する処理を行う。この入賞球センサ１０１ｃは、流路口６１５ｃに設けられ、この流路口６１５ｃには普通入賞口２４１、２４５、第２種非電動役物２５ａに入球した遊技球が流下して通過する。
【０１４０】
入賞球センサ１０１ｄには、一般入賞コマンドが対応付けられている。メインＣＰＵ６６は、入賞球センサ１０１ｄからの入賞信号毎に、一般入賞コマンドを選択する処理を行う。この入賞球センサ１０１ｄは、流路口６１５ｄに設けられ、この流路口６１５ｄには普通入賞口２４７に入球した遊技球が流下して通過する。
【０１４１】
入賞球センサ１０１ｅには、中央開放入賞コマンド又は下開放入賞コマンドが対応付けられている。メインＣＰＵ６６は、入賞球センサ１０１ｅからの入賞信号毎に、中央開放入賞コマンド又は下開放入賞コマンドを交互に選択する処理を行う。この入賞球センサ１０１ｅは、流路口６１５ｅに設けられ、この流路口６１５ｅには普通入賞口２４９、第２種非電動役物２５ｂに入球した遊技球が流下して通過する。
【０１４２】
入賞球センサ１０１ｆには、中央開放入賞コマンド又は下閉鎖入賞コマンドが対応付けられている。メインＣＰＵ６６は、入賞球センサ１０１ｆからの入賞信号毎に、中央開放入賞コマンド又は下閉鎖入賞コマンドを交互に選択する処理を行う。この入賞球センサ１０１ｆは、流路口６１５ｆに設けられ、この流路口６１５ｆには普通入賞口２４９、第２種非電動役物２５ｃに入球した遊技球が流下して通過する。
【０１４３】
入賞球センサ１０１ｇには、左開放入賞コマンドが対応付けられている。メインＣＰＵ６６は、入賞球センサ１０１ｇからの入賞信号毎に、左開放入賞コマンドを選択する処理を行う。この入賞球センサ１０１ｇは、流路口６１５ｇに設けられ、この流路口６１５ｇには普通入賞口２４４に入球した遊技球が流下して通過する。
【０１４４】
入賞球センサ１０１ｉには、左開放入賞コマンド又は左閉鎖入賞コマンドが対応付けられている。メインＣＰＵ６６は、入賞球センサ１０１ｉからの入賞信号毎に、左開放入賞コマンド又は左閉鎖入賞コマンドを交互に選択する処理を行う。この入賞球センサ１０１ｉは、流路口６１５ｉに設けられ、この流路口６１５ｉには普通入賞口２４２、２４６、第２種非電動役物２５ｄに入球した遊技球が流下して通過する。
【０１４５】
入賞球センサ１０１ｊには、一般入賞コマンドが対応付けられている。メインＣＰＵ６６は、入賞球センサ１０１ｊからの入賞信号毎に、一般入賞コマンドを選択する処理を行う。この入賞球センサ１０１ｊは、流路口６１５ｊに設けられ、この流路口６１５ｊには普通入賞口２４８に入球した遊技球が流下して通過する。
【０１４６】
［サブ制御メイン処理］
図１９を用いて、サブ制御メイン処理を説明する。
【０１４７】
ステップＳ１１０においては、初期化処理を行う。この処理において、サブＣＰＵ２０６は、電源投入に応じて、プログラムＲＯＭ２０８から起動プログラムを読み込むとともに、ワークＲＡＭ２１０に記憶されるフラグなどを初期化し、設定する処理を行う。この処理が終了した場合には、ステップＳ１３０に処理を移す。
【０１４８】
ステップＳ１３０においては、コマンド解析制御処理を行う。この処理において、サブＣＰＵ２０６は、主制御回路６０から受信し、ワークＲＡＭ２１０の受信バッファに格納されるコマンドを解析する処理を行う。コマンド解析制御処理については、後述する。この処理が終了した場合には、ステップＳ１４０に処理を移す。
【０１４９】
ステップＳ１４０においては、音制御処理を行う。この処理において、サブＣＰＵ２０６は、所定の音パターンを出力するための音データを音声制御回路２３０に送信する。音声制御回路２３０は、音源ＩＣ２３２により、サブＣＰＵ２０６から送信された所定の音パターンを出力するための音データに応じて、音声データＲＯＭ２３４に記憶されている音声データを読み出し、この音声データを所定の音声信号に変換し、その音声信号をＡＭＰ２３６により増幅させ、スピーカ４６から音声を出力させる制御を行う。この処理が終了した場合には、ステップＳ１５０に処理を移す。
【０１５０】
ステップＳ１５０においては、ＬＥＤ制御処理を行う。この処理において、サブＣＰＵ２０６は、ＬＥＤを点灯するためのデータを駆動回路２４０に送信する。駆動回路２４０は、サブＣＰＵ２０６からのＬＥＤ６５１を点灯するためのデータに基づいて、駆動データＲＯＭ２６４から各種の点灯パターンデータを読み出し、電飾基板６５０ａ〜６５０ｄに実装されたＬＥＤ６５１を発光させる。この処理が終了した場合には、ステップＳ１３０に処理を移す。
【０１５１】
［サブ制御コマンド受信割込処理］
図２０を用いて、サブ制御コマンド受信割込処理を説明する。
【０１５２】
ステップＳ２１０においては、レジスタを退避させる処理を行う。この処理において、サブＣＰＵ２０６は、各レジスタ（記憶領域）に記憶される実行中のプログラムを退避させる処理を行う。この処理が終了した場合には、ステップＳ２２０に処理を移す。
【０１５３】
ステップＳ２２０においては、入力されたコマンドを受信バッファへ格納する処理を行う。この処理において、サブＣＰＵ２０６は、入力されたコマンドをワークＲＡＭ２１０の受信バッファ領域へ格納する処理を行う。この処理において、格納されたコマンドは、図１９のＳ１３０の処理で解析される。この処理が終了した場合には、ステップＳ２３０に処理を移す。
【０１５４】
ステップＳ２３０においては、レジスタを復帰させる処理を行う。この処理において、サブＣＰＵ２０６は、ステップＳ２１０で退避したプログラムを各レジスタに復帰させる処理を行う。この処理が終了した場合には、本サブルーチンを終了する。
【０１５５】
［コマンド解析制御処理］
図２１を用いて、図１９のステップＳ１３０におけるコマンド解析制御処理を説明する。図２１中のステップＳ４１０からステップＳ４８０では、メインＣＰＵ６６のステップＳ２１の処理により出力された各種の入賞コマンド（図１８参照）をサブＣＰＵ２０６が受信したか否かを判定する。
【０１５６】
ステップＳ４１０においては、一般入賞コマンドを受信したか否かを判定する処理を行う。この処理において、サブＣＰＵ２０６が一般入賞コマンドを受信したと判定した場合には、ステップＳ５１０に処理を移し、一般入賞コマンドを受信したと判定しない場合には、ステップＳ４２０に処理を移す。
【０１５７】
ステップＳ４２０においては、右開放入賞コマンドを受信したか否かを判定する処理を行う。この処理において、サブＣＰＵ２０６が右開放入賞コマンドを受信したと判定した場合には、ステップＳ５１０に処理を移し、右開放入賞コマンドを受信したと判定しない場合には、ステップＳ４３０に処理を移す。
【０１５８】
ステップＳ４３０においては、左開放入賞コマンドを受信したか否かを判定する処理を行う。この処理において、サブＣＰＵ２０６が左開放入賞コマンドを受信したと判定した場合には、ステップＳ５１０に処理を移し、左開放入賞コマンドを受信したと判定しない場合には、ステップＳ４４０に処理を移す。
【０１５９】
ステップＳ４４０においては、右閉鎖入賞コマンドを受信したか否かを判定する処理を行う。この処理において、サブＣＰＵ２０６が右閉鎖入賞コマンドを受信したと判定した場合には、ステップＳ５１０に処理を移し、右閉鎖入賞コマンドを受信したと判定しない場合には、ステップＳ４５０に処理を移す。
【０１６０】
ステップＳ４５０においては、左閉鎖入賞コマンドを受信したか否かを判定する処理を行う。この処理において、サブＣＰＵ２０６が左閉鎖入賞コマンドを受信したと判定した場合には、ステップＳ５１０に処理を移し、左閉鎖入賞コマンドを受信したと判定しない場合には、ステップＳ４６０に処理を移す。
【０１６１】
ステップＳ４６０においては、中央開放入賞コマンドを受信したか否かを判定する処理を行う。この処理において、サブＣＰＵ２０６が中央開放入賞コマンドを受信したと判定した場合には、ステップＳ５１０に処理を移し、中央開放入賞コマンドを受信したと判定しない場合には、ステップＳ４７０に処理を移す。
【０１６２】
ステップＳ４７０においては、下開放入賞コマンドを受信したか否かを判定する処理を行う。この処理において、サブＣＰＵ２０６が下開放入賞コマンドを受信したと判定した場合には、ステップＳ５１０に処理を移し、下開放入賞コマンドを受信したと判定しない場合には、ステップＳ４８０に処理を移す。
【０１６３】
ステップＳ４８０においては、下閉鎖入賞コマンドを受信したか否かを判定する処理を行う。この処理において、サブＣＰＵ２０６が下閉鎖入賞コマンドを受信したと判定した場合には、ステップＳ５１０に処理を移し、下閉鎖入賞コマンドを受信したと判定しない場合には、ステップＳ４９０に処理を移す。
【０１６４】
ステップＳ４９０においては、その他、受信したコマンドに対応する処理を実行する。この処理において、サブＣＰＵ２０６は、その他、受信したコマンドに対応する処理を実行する。この処理が終了した場合には、ステップＳ６００に処理を移す。
【０１６５】
ステップＳ５１０においては、入賞順序記憶処理を行う。この処理において、サブＣＰＵ２０６は、メインＣＰＵ６６のステップＳ２１の処理により出力された各種の入賞コマンド（図１８参照）を、ワークＲＡＭ２１０（図１５参照）の入賞順序カウンタに記憶する。
【０１６６】
すなわち、普通入賞口２４１〜２４９、第２種非電動役物２５ａ〜２５ｄ（図３参照）毎に設けられた入賞球センサ１０１ａ、１０１ｃ〜１０１ｇ、１０１ｉ、１０１ｊ（図１５参照）が発信した入賞信号をメインＣＰＵ６６（図１５参照）が受信する。メインＣＰＵ６６は、これらの入賞信号に対応した入賞コマンドを副制御回路２００（図１５参照）に送信する。副制御回路２００のサブＣＰＵ２０６は、これらの受信した入賞コマンドを受信した順序を入賞順序としてワークＲＡＭ２１０の入賞順序カウンタに記憶する。この処理が終了した場合には、ステップＳ５２０に処理を移す。
【０１６７】
ステップＳ５２０においては、入賞順序判定処理を行う。この処理において、サブＣＰＵ２０６は、ワークＲＡＭ２１０（図１５参照）の入賞順序カウンタの値が所定の規定順序を示すものか否かを判定する。具体的には、サブＣＰＵ２０６は、ワークＲＡＭ２１０（図１５参照）の入賞順序カウンタの値が示す入賞コマンドの入賞順序が、プログラムＲＯＭ２０８（図１５参照）に記憶された発光報知態様テーブル（図２２参照）及び音報知態様デーブル（図２３参照）の所定の規定順序とが一致しているか否かを判定する。この処理が終了した場合には、ステップＳ５３０に処理を移す。
【０１６８】
ステップＳ５３０においては、入賞報知態様決定処理を行う。この処理において、サブＣＰＵ２０６は、この処理において、サブＣＰＵ２０６は、ステップＳ５２０の入賞順序判定処理に基づき、プログラムＲＯＭ２０８（図１５参照）に記憶された発光報知態様テーブル（図２２参照）及び音報知態様デーブル（図２３参照）を参照して入賞発光パターン及び入賞音パターンを決定する。この処理が終了した場合には、ステップＳ６００に処理を移す。
【０１６９】
ステップＳ６００においては、報知データを格納する処理を行う。この処理において、サブＣＰＵ２０６は、ステップＳ５３０の入賞報知態様決定処理により決定した入賞発光パターンを表示するための発光データ及び入賞音パターンを出力するための音データをワークＲＡＭ２１０（図１５参照）に格納する。この処理が終了した場合には、本サブルーチンを終了する。
【０１７０】
このステップＳ６００の報知データを格納する処理により格納された発光データは、ステップＳ１５０のＬＥＤ制御処理（図１９参照）により、入賞コマンドを受信する度に順次、駆動回路２６０に送信される。駆動回路２６０は、受信したこの発光データに基づき、電飾基板６５０ａ〜６５０ｄに実装されたＬＥＤ６５１（図１５参照）の発光を制御する。また、このステップＳ６００の報知データを格納する処理により格納された音データは、ステップＳ１４０の音制御処理（図１９参照）により、入賞コマンドを受信する度に順次、音声制御回路２３０に送信される。音声制御回路２３０は、受信したこの音データをスピーカ４６（図１５参照）から音声にして順次出力させる制御を行う。
【０１７１】
［発光報知態様テーブル］
次に、サブＣＰＵ２０６がステップＳ５３０の入賞報知態様決定処理（図２１参照）を行うときに参照する発光報知態様テーブルについて説明する。図２２は、発光報知態様テーブルを示す説明図である。
【０１７２】
発光報知態様テーブルは、プログラムＲＯＭ２０８に記憶されている。この発光報知態様テーブルでは、サブＣＰＵ２０６が受信する各種の入賞コマンドの受信する順序を予め規定した所定の規定順序として複数種類記憶し、この複数種類の所定の規定順序に発光報知態様として複数種類の入賞発光パターンが対応付けられている。具体的には、発光報知態様テーブルでは、予め規定した所定の規定順序として、左開放入賞コマンド、左閉鎖入賞コマンド、右開放入賞コマンド、右閉鎖入賞コマンド、及び中央開放入賞コマンドをそれぞれ受信した場合、中央開放入賞コマンドを受信し、その次に下閉鎖入賞コマンドを受信した場合、中央開放入賞コマンドを受信し、その次に下閉鎖入賞コマンドを受信し、その次に下開放入賞コマンドを受信した場合、中央開放入賞コマンドを受信し、その次に下閉鎖入賞コマンドを受信し、その次に下開放入賞コマンドを受信し、その次に下閉鎖入賞コマンドを受信した場合の８つの所定の規定順序が記憶されている。
【０１７３】
また、発光報知態様テーブルでは、左開放入賞コマンドを受信した場合の発光報知態様としては、発光部６３０ｃの拡散部６３１ａのＬＥＤ６５１を発光させるための入賞発光パターンが対応付けられている。左閉鎖入賞コマンドを受信した場合の発光報知態様としては、発光部６３０ｃの拡散部６３１ｂのＬＥＤ６５１を発光させるための入賞発光パターンが対応付けられている。右開放入賞コマンドを受信した場合の発光報知態様としては、発光部６３０ｃの拡散部６３１ｄのＬＥＤ６５１を発光させるための入賞発光パターンが対応付けられている。右閉鎖入賞コマンドを受信した場合の発光報知態様としては、発光部６３０ｃの拡散部６３１ｅのＬＥＤ６５１を発光させるための入賞発光パターンが対応付けられている。中央開放入賞コマンドを受信した場合の発光報知態様としては、発光部６３０ｃの拡散部６３１ｃのＬＥＤ６５１を発光させるための入賞発光パターン（第１の報知態様）が対応付けられている。また、中央開放入賞コマンドを受信し、その次に下閉鎖入賞コマンドを受信した場合の発光報知態様としては、発光部６３０ｂのＬＥＤ６５１を発光させるための入賞発光パターン（第２の報知態様）が対応付けられている。また、中央開放入賞コマンドを受信し、その次に下閉鎖入賞コマンドを受信し、その次に下開放入賞コマンドを受信した場合の発光報知態様としては、発光部６３０ａのＬＥＤ６５１を発光させるための入賞発光パターン（第３の報知態様）が対応付けられている。また、中央開放入賞コマンドを受信し、その次に下閉鎖入賞コマンドを受信し、その次に下開放入賞コマンドを受信し、その次に下閉鎖入賞コマンドを受信した場合の発光報知態様としては、発光部６３０ａ〜６３０ｃの全てのＬＥＤ６５１を発光させるための入賞発光パターン（第４の報知態様）が対応付けられている。
【０１７４】
すなわち、普通入賞口２４１〜２４９、第２種非電動役物２５ａ〜２５ｄ（図３参照）毎に設けられた入賞球センサ１０１ａ、１０１ｃ〜１０１ｇ、１０１ｉ、１０１ｊ（図１５参照）が発信した入賞信号を遊技制御手段としてのメインＣＰＵ６６（図１５参照）が受信する。メインＣＰＵ６６は、これらの入賞信号に対応した入賞コマンドを副制御回路２００（図１５参照）に送信する。発光報知態様テーブルでは、これらの入賞コマンドの受信する順序を予め規定した所定の規定順序として複数種類記憶し、この複数種類の所定の規定順序に報知態様として複数種類の入賞発光パターンが対応付けられている。
【０１７５】
換言すると、発光報知態様テーブルを記憶するプログラムＲＯＭ２０８は、各入賞口毎の入賞信号を遊技制御手段が受信する順序を予め規定した所定の規定順序を記憶する規定順序記憶手段の一例として機能する。また、発光報知態様テーブルを記憶するプログラムＲＯＭ２０８は、複数の報知態様を記憶する報知態様記憶手段の一例として機能する。
【０１７６】
さらに、入賞コマンドテーブル（図１８参照）に示すように、第１の入賞装置としての普通入賞口２４９（図３参照）への遊技球の入球により入賞球センサ１０１ｅ（図１５参照）からの入賞信号を遊技制御手段としてのメインＣＰＵ６６が受信すると、中央開放入賞コマンドがメインＣＰＵ６６から送信される。次に、第３の入賞装置としての第２種非電動役物２５ｃ（図３参照）への遊技球の入球により入賞球センサ１０１ｆ（図１５参照）からの入賞信号をメインＣＰＵ６６が受信すると、下閉鎖入賞コマンドがメインＣＰＵ６６から送信される。次に、第２の入賞装置としての第２種非電動役物２５ｂ（図３参照）への遊技球の入球により入賞球センサ１０１ｅ（図１５参照）からの入賞信号をメインＣＰＵ６６が受信すると、下開放入賞コマンドがメインＣＰＵ６６から送信される。発光報知態様テーブルには、これらの入賞コマンドを受信する順序を特定の規定順序として記憶されている。換言すると、このような発光報知態様テーブルを記憶するプログラムＲＯＭ２０８は、遊技制御手段において、第１の入賞装置の入賞信号を受信し、この第１の入賞装置の入賞信号の次に第３の入賞装置の入賞信号を受信し、この第３の入賞装置の入賞信号の次に第２の入賞装置の入賞信号を受信する順序を特定の規定順序として記憶する規定順序記憶手段の一例として機能する。
【０１７７】
［音報知態様テーブル］
次に、サブＣＰＵ２０６がステップＳ５３０の入賞報知態様決定処理（図２１参照）を行うときに参照する報知態様テーブルについて説明する。図２３は、音報知態様テーブルを示す説明図である。
【０１７８】
音報知態様テーブルは、プログラムＲＯＭ２０８に記憶されている。この音報知態様テーブルでは、サブＣＰＵ２０６が受信する各種の入賞コマンドの受信する順序を予め規定した所定の規定順序として複数種類記憶し、この複数種類の所定の規定順序に音報知態様として複数種類の入賞音パターンが対応付けられている。具体的には、音報知態様テーブルでは、予め規定した所定の規定順序として、中央開放入賞コマンドを受信した場合、中央開放入賞コマンドを受信し、その次に下閉鎖入賞コマンドを受信した場合、中央開放入賞コマンドを受信し、その次に下閉鎖入賞コマンドを受信し、その次に下開放入賞コマンドを受信した場合、中央開放入賞コマンドを受信し、その次に下閉鎖入賞コマンドを受信し、その次に下開放入賞コマンドを受信し、その次に下閉鎖入賞コマンドを受信した場合の４つの所定の規定順序が記憶されている。
【０１７９】
また、音報知態様テーブルでは、中央開放入賞コマンドを受信した場合の音報知態様としては、“トン”という音を発生させるための入賞音パターン（第１の報知態様）が対応付けられている。また、中央開放入賞コマンドを受信し、その次に下閉鎖入賞コマンドを受信した場合の報知態様としては、“トーン”という音を発生させるための入賞音パターン（第２の報知態様）が対応付けられている。また、中央開放入賞コマンドを受信し、その次に下閉鎖入賞コマンドを受信し、その次に下開放入賞コマンドを受信した場合の音報知態様としては、“ドーン”という音を発生させるための入賞音パターン（第３の報知態様）が対応付けられている。また、中央開放入賞コマンドを受信し、その次に下閉鎖入賞コマンドを受信し、その次に下開放入賞コマンドを受信し、その次に下閉鎖入賞コマンドを受信した場合の音報知態様としては、“ドッカーン”という音を発生させるための入賞音パターン（第４の報知態様）が対応付けられている。さらに、上記の４つの所定の規定順序以外の順序で入賞コマンドを受信した場合の音報知態様としては、“ト”という音を発生させるための入賞音パターンが対応付けられている。
【０１８０】
すなわち、普通入賞口２４１〜２４９、第２種非電動役物２５ａ〜２５ｄ（図３参照）毎に設けられた入賞球センサ１０１ａ、１０１ｃ〜１０１ｇ、１０１ｉ、１０１ｊ（図１５参照）が発信した入賞信号を遊技制御手段としてのメインＣＰＵ６６（図１５参照）が受信する。メインＣＰＵ６６は、これらの入賞信号に対応した入賞コマンドを副制御回路２００（図１５参照）に送信する。音報知態様テーブルでは、これらの入賞コマンドの受信する順序を予め規定した所定の規定順序として複数種類記憶し、この複数種類の所定の規定順序に報知態様として複数種類の入賞音パターンが対応付けられている。
【０１８１】
換言すると、音報知態様テーブルを記憶するプログラムＲＯＭ２０８は、各入賞装置毎の入賞信号を遊技制御手段が受信する順序を予め規定した所定の規定順序を記憶する規定順序記憶手段の一例として機能する。また、音報知態様テーブルを記憶するプログラムＲＯＭ２０８は、複数の報知態様を記憶する報知態様記憶手段の一例として機能する。
【０１８２】
さらに、入賞コマンドテーブル（図１８参照）に示すように、第１の入賞装置としての普通入賞口２４９（図３参照）への遊技球の入球により入賞球センサ１０１ｅ（図１５参照）からの入賞信号を遊技制御手段としてのメインＣＰＵ６６が受信すると、中央開放入賞コマンドがメインＣＰＵ６６から送信される。次に、第３の入賞装置としての第２種非電動役物２５ｃ（図３参照）への遊技球の入球により入賞球センサ１０１ｆ（図１５参照）からの入賞信号をメインＣＰＵ６６が受信すると、下閉鎖入賞コマンドがメインＣＰＵ６６から送信される。次に、第２の入賞装置としての第２種非電動役物２５ｂ（図３参照）への遊技球の入球により入賞球センサ１０１ｅ（図１５参照）からの入賞信号をメインＣＰＵ６６が受信すると、下開放入賞コマンドがメインＣＰＵ６６から送信される。音報知態様テーブルには、これらの入賞コマンドを受信する順序を特定の規定順序として記憶されている。換言すると、このような音報知態様テーブルを記憶するプログラムＲＯＭ２０８は、遊技制御手段において、第１の入賞装置の入賞信号を受信し、この第１の入賞装置の入賞信号の次に第３の入賞装置の入賞信号を受信し、この第３の入賞装置の入賞信号の次に第２の入賞装置の入賞信号を受信する順序を特定の規定順序として記憶する規定順序記憶手段の一例として機能する。
【０１８３】
本実施形態によれば、以下のような効果がある。
（１）透光性の素材で形成した遊技板１４の背面側に、入賞口に入球した遊技球を排出する排出路６１３を形成した排出路機構板６１０、及び遊技板１４と排出路機構板６１０との間に設けられ、排出路６１３を覆う流路カバー６２０を含む排出路ユニット６００を配置し、この排出路ユニット６００には、遊技板に向けて発光するＬＥＤ６５１を実装した電飾基板６５０ａ〜６５０ｄを設けた。これにより、ＬＥＤ６５１の発光により遊技板１４における演出性を向上できる。また、遊技板１４と排出路機構板６１０との間に排出路６１３を覆う流路カバー６２０を設けたので、遊技球が流下する排出路６１３を流路カバー６２０で覆うことができる。これにより、排出路６１３の流路６１４ａ〜６１４ｊを流下する遊技球が直接遊技板１４に衝突することがないので、遊技板１４を傷つけずに保護できるとともに、衝突により発生する遊技板１４の振動を抑えることができる。よって、遊技板１４の傷や振動により遊技板１４での演出の装飾性を阻害することがないので、演出性を向上できる。
【０１８４】
さらに、組み立て作業を行うときには、排出路機構板６１０の表面から突出する排出路６１３を流路カバー６２０で覆い、排出路機構板６１０と流路カバー６２０とを一体にした排出路ユニット６００を遊技板１４に取り付ける。よって、組み立て作業時に他の部材等が排出路６１３に接触してこの排出路６１３を破損することを防止できるので、組み立て作業の効率化を図ることができる。さらにまた、この排出路ユニット６００には、ＬＥＤ６５１を実装した電飾基板６５０ａ〜６５０ｄを設けた。これにより、電飾基板６５０ａ〜６５０ｄ及び排出路機構板６１０をそれぞれ遊技板１４に取り付ける場合に比べて、これらを取り付けるための部品の数を削減できるので、組み立て作業の効率化を図ることができる。したがって、演出性を向上するとともに、組み立て作業の効率化を図ることができる。
【０１８５】
（２）排出路ユニット６００において、遊技板１４とＬＥＤ６５１との間に、傾斜面６３２により囲んだ拡散空間６３３を形成した拡散部６３１ａ〜６３１ｋを設け、この拡散部６３１ａ〜６３１ｋの拡散空間６３３における内法をＬＥＤ６５１から遊技板１４に向かって大きくなるようにした。
【０１８６】
ここで、遊技板１４の背面側にＬＥＤ６５１を設ける場合、遊技板１４の背面側にＬＥＤ６５１が近接していると、ＬＥＤ６５１の発光により遊技板１４の表面側にこのＬＥＤ６５１の外観の形状が映し出され、遊技板１４の所定の部分を発光させるという演出の装飾性を阻害することとなる。しかしながら、遊技板１４とＬＥＤ６５１との間に拡散部６３１ａ〜６３１ｋを設けることで、ＬＥＤ６５１を遊技板１４から拡散空間６３３の分だけ離すことができる。これにより、遊技板１４の表面側にＬＥＤ６５１の外観の形状が映し出されることにより演出の装飾性が阻害されることを防止できる。
【０１８７】
また、拡散空間６３３は、その内法が発光体から遊技板１４に向かって大きくなるように、傾斜面６３２により囲んで形成した。これにより、ＬＥＤ６５１により発した光は、傾斜面６３２に反射し、遊技板１４に向かうにつれて徐々に拡散する。よって、遊技板１４の表面側に表示される光を、中心から外側に向けた階調を有する光として表示できるので、さらに遊技板１４における装飾性が向上し、演出性を向上できる。
【０１８８】
また、拡散部６３１ａ〜６３１ｋを、遊技球を排出する排出路６１３が形成された排出路機構板６１０とともに排出路ユニット６００に設けたので、拡散部６３１ａ〜６３１ｋ及び排出路機構板６１０をそれぞれ遊技板１４に取り付ける場合に比べて、これらを取り付けるための部品の数を削減できる。したがって、演出性がさらに向上するとともに、組み立て作業の効率化を図ることができる。
【０１８９】
（３）遊技板１４にキャラクタ図柄９０ａ〜９０ｅ、文字図柄９５ａ、文字図柄９５ｂを表示した透光性のシート１４ａを配置し、このキャラクタ図柄９０ａ〜９０ｅ、文字図柄９５ａ、文字図柄９５ｂの背後にＬＥＤ６５１を配置した。これにより、キャラクタ図柄９０ａ〜９０ｅ、文字図柄９５ａ、文字図柄９５ｂの背後から光を発することができるので、遊技板１４の表面側において、キャラクタ図柄９０ａ〜９０ｅ、文字図柄９５ａ、文字図柄９５ｂが発光するような演出を行うことができる。また、図柄を遊技板１４に直接表示するのでなく、シート１４ａに表示したので、遊技機の機種を変更する場合でも、遊技板を交換することなく、シート１４ａのみ交換すればよいので、組み立て作業の効率化を図ることができる。したがって、演出性がさらに向上するとともに、組み立て作業の効率化を図ることができる。
【０１９０】
（４）入賞口に入球した遊技球を流路６１４ａ〜６１４ｊに導く流路口６１５ａ〜６１５ｊに、当該流路口６１５ａ〜６１５ｊを通過した遊技球を検出したときに入賞信号を発信する入賞球センサ１０１ａ、１０１ｃ〜１０１ｇ、１０１ｉ、１０１ｊを設け、駆動回路２６０により、当該入賞信号に応じて、ＬＥＤ６５１に発光させる制御を行う。これにより、普通入賞口２４１〜２４９、第２種非電動役物２５ａ〜２５ｄに遊技球が入球したことに応じて、ＬＥＤ６５１を発光できるので、例えば、普通入賞口２４１〜２４９、第２種非電動役物２５ａ〜２５ｄに遊技球が入球したことをＬＥＤ６５１の発光により報知するという演出を行うことができる。したがって、演出性を向上できる。
【０１９１】
また、例えば、駆動回路２６０を排出路ユニット６００に設けることで、駆動回路２６０を排出路機構板６１０とは別に、遊技板１４や遊技機１０の枠に取り付ける場合に比べて、これらを取り付けるための部品の数を削減できる。したがって、組み立て作業の効率化を図ることができる。
【０１９２】
さらに、流路６１４ｂ及び６１４ｇを形成する部分の背板６１１には、流路６１４ｂ及び６１４ｇを流下する遊技球を下方に導く仕切壁６１２に沿って、背板６１１を貫通する溝６１６が設けた。これにより、排出路ユニット６００の背後から流路の球詰まりを確認することができる。また、球詰まりを確認した場合は、この溝６１６に、例えば、ピンを挿入し球詰まりを解消することができる。さらに、溝６１６を仕切壁６１２に沿って設けたので、遊技球に付着した異物や排出路ユニット６００に侵入した異物を排出路ユニット６００の外部に排出できる。
【０１９３】
（５）流路カバー６２０に入賞口が設けられた普通入賞口２４１〜２４９、第２種非電動役物２５ａ〜２５ｄと排出路とを連通する開口部６２２ａ、６２２ｃ〜６２２ｇ、６２２ｉを設け、当該開口部６２２ａ、６２２ｃ〜６２２ｇ、６２２ｉの周縁に、普通入賞口２４１〜２４９、第２種非電動役物２５ａ〜２５ｄから排出路６１３に延びる開口部リブ６２３ａ、６２３ｃ〜６２３ｇ、６２３ｉを形成した。これにより、普通入賞口２４１〜２４９、第２種非電動役物２５ａ〜２５ｄの入賞口に入球した遊技球は、開口部リブ６２３ａ、６２３ｃ〜６２３ｇ、６２３ｉを転がり開口部６２２ａ、６２２ｃ〜６２２ｇ、６２２ｉを通過して排出路に到達する。
【０１９４】
ここで、入賞口が設けられた普通入賞口２４１〜２４９、第２種非電動役物２５ａ〜２５ｄはその奥行き方向の挿入部分が遊技板１４に挿入されることで、当該遊技板１４に係止される。また、入賞装置の種類が異なれば、挿入部分の奥行き方向の幅が異なる。よって、従来、演出性を向上させるために入賞装置の種類を異なるものに変更するには、遊技板の背面側に設けられた排出路の設計変更を伴うこととなり、容易に入賞装置の種類を変更できなかった。
【０１９５】
しかしながら、流路カバー６２０に普通入賞口２４１〜２４９、第２種非電動役物２５ａ〜２５ｄの入賞口から排出路６１３に延びる開口部リブ６２３ａ、６２３ｃ〜６２３ｇ、６２３ｉを形成したので、演出性を向上させるために入賞装置の種類を異なるものに変更する場合、流路カバー６２０の開口部リブ６２３ａ、６２３ｃ〜６２３ｇ、６２３ｉについての設計変更のみで対応が可能となり、容易に入賞装置の種類を変更できるので、演出性がさらに向上する。
【０１９６】
さらに、排出路機構板６１０に流路カバー６２０を取り付け、この流路カバー６２０の開口部６２２ａ、６２２ｃ〜６２２ｇ、６２２ｉの位置を、遊技板１４に設けた普通入賞口２４１〜２４９、第２種非電動役物２５ａ〜２５ｄの入賞口の位置に合わせるだけで、排出路機構板６１０を正確に配置できるので、組み立て作業の効率化を図ることができる。
【０１９７】
（６）流路カバー６２０の開口部６２２ａ、６２２ｃ〜６２２ｇ、６２２ｉを流路口６１５ａ〜６１５ｊの上方に設け、当該開口部６２２ａ、６２２ｃ〜６２２ｇ、６２２ｉと流路口６１５ａ〜６１５ｊとの間に流路口６１５ａ〜６１５ｊの略中央に向かって傾斜する傾斜部分６２４ａを有する突起部６２４を形成した。これにより、普通入賞口２４１〜２４９、第２種非電動役物２５ａ〜２５ｄの入賞口に入球した遊技球は、流路カバー６２０の開口部６２２ａ、６２２ｃ〜６２２ｇ、６２２ｉを通過して落下する。このとき遊技球は、突起部６２４の傾斜部分６２４ａに導かれ排出路機構板６１０の流路口６１５ａ〜６１５ｊの略中央に向かって落下する。よって、普通入賞口２４１〜２４９、第２種非電動役物２５ａ〜２５ｄの入賞口に入球した遊技球を確実に流路口６１５ａ〜６１５ｊの略中央に落下させることができる。
【０１９８】
ここで、流路口６１５ａ、６１５ｃ〜６１５ｇ、６１５ｉ、６１５ｊを通過した遊技球を検出したときに入賞信号を発信する入賞球センサ１０１ａ、１０１ｃ〜１０１ｇ、１０１ｉ、１０１ｊは、流路口６１５ａ、６１５ｃ〜６１５ｇ、６１５ｉ、６１５ｊの略中央に設けられる。よって、普通入賞口２４１〜２４９、第２種非電動役物２５ａ〜２５ｄの入賞口に入球した遊技球を確実に流路口６１５ａ、６１５ｃ〜６１５ｇ、６１５ｉ、６１５ｊの略中央に落下させることで、入賞球センサ１０１ａ、１０１ｃ〜１０１ｇ、１０１ｉ、１０１ｊに確実に入賞信号を発信させることができるので、この入賞信号に応じて、演出を制御する制御手段としてのメインＣＰＵ６６により、確実に各種の演出を行うことができる。したがって、演出性を向上できる。
【０１９９】
また、流路カバー６２０の突起部６２４の位置を、排出路機構板６１０の流路口６１５ａ〜６１５ｊの上方に配置するだけで、排出路機構板６１０の正確な位置に流路カバー６２０を取り付けることができるので、組み立て作業の効率化を図ることができる。
【０２００】
さらに、所定の遊技状況となる入賞態様を所定の規定順序としてプログラムＲＯＭ２０８に記憶する。そして、ワークＲＡＭ２１０に記憶した入賞順序がこの入賞態様となり、サブＣＰＵ２０６において、所定の規定順序と入賞順序とが一致していると判定する。駆動回路２６０はこの判定結果に基づいて、電飾基板６５０ａ〜６５０ｄのＬＥＤ６５１を発光する制御を行う。また、音声制御回路２３０はこの判定結果に基づいて、スピーカ４６を出力させる制御を行う。これにより、所定の遊技状況となる入賞態様が成立したときに、特定の報知態様を出力できる。また、特定の報知態様を、複数の入賞口へ遊技球が入球した順序により生ずる遊技状況に対して出力できる。したがって、遊技状況に応じた報知による演出性を向上できる。
【０２０１】
さらにまた、所定の規定順序で、入賞口に遊技球が入球すれば、第１の報知態様から第４の報知態様に順次切り替えて出力できるので、所定の規定順序を認識していない遊技者にこの所定の規定順序で入賞口に遊技球が入球したことを報知できるので、遊技状況を適切に報知した演出性を向上できるとともに、所定の規定順序を認識している遊技者に、所定の規定順序で入賞口に遊技球を入球させようとする遊技に対する意欲を喚起させることができる。
【０２０２】
以上、実施形態について説明したが、本発明はこれに限られるものではない。
【０２０３】
本実施形態では、遊技板に向けて発光する発光体としてＬＥＤを用いたが、これに限られるものではない。発光体は、液晶表示装置、ランプ、冷陰極管、及び蛍光灯を用いてもよい。
【０２０４】
また、本発明では、遊技板１４の全部が透光性を有する板形状の樹脂によって形成したが、これに限られるものではない。遊技板１４に排出路ユニット６００が取り付けられた状態で、この排出路ユニット６００と重ならない部分を、透明性樹脂で形成してもよい。また、遊技板１４の透明性樹脂で形成した部分の背後に液晶表示装置を設けることができる。例えば、パチンコ遊技機１０に、遊技に関する画像を表示する液晶表示装置と、この液晶表示装置を制御する表示制御回路とを設け、この表示制御回路をサブＣＰＵ２０６（図１５参照）に接続することができる。これにより、報知手段として液晶表示装置を用い、報知制御手段として表示制御回路を用いることで、報知態様を画像によって表示できるので、さらに演出性が向上する。
【図面の簡単な説明】
【０２０５】
【図１】本発明の一実施形態のパチンコ遊技機における概観を示す斜視図である。
【図２】本発明の一実施形態のパチンコ遊技機における概観を示す分解斜視図である。
【図３】本発明の一実施形態のパチンコ遊技機における遊技板の概観を示す正面図である。
【図４】本発明の一実施形態のパチンコ遊技機における排出路ユニットの前面側の分解斜視図である。
【図５】本発明の一実施形態のパチンコ遊技機における排出路ユニットから流路カバーを取り外した状態の正面図である。
【図６】本発明の一実施形態のパチンコ遊技機における排出路ユニットの発光部部分の断面図である。
【図７】本発明の一実施形態のパチンコ遊技機における遊技板に取り付けられた排出路ユニットの背面図である。
【図８】本発明の一実施形態のパチンコ遊技機における排出路ユニット背面側の分解斜視図である。
【図９】本発明の一実施形態のパチンコ遊技機における遊技板に普通入賞口が取り付けられた部分の断面図である。
【図１０】本発明の一実施形態のパチンコ遊技機における連動機構が設けられた部分の正面図である。
【図１１】図１０中のＡＡ断面における本発明の一実施形態のパチンコ遊技機における連動機構が設けられた部分の断面図である。
【図１２】本発明の一実施形態のパチンコ遊技機における第２種非電動役物において、２つの可動片が閉状態から開状態に可動する場合の説明図である。
【図１３】本発明の一実施形態のパチンコ遊技機における第２種非電動役物において、２つの可動片が開状態から閉状態に可動する場合の説明図である。
【図１４】本発明の一実施形態のパチンコ遊技機における普通入賞口、第２種非電動役物と、流路口と、入賞球センサとの対応関係、及び普通入賞口と、第２種非電動役物との連動関係を示す説明図である。
【図１５】本発明の一実施形態のパチンコ遊技機において構成される主制御回路及び副制御回路を示すブロック図である。
【図１６】本発明の一実施形態のパチンコ遊技機において実行される制御処理を示すフローチャートである。
【図１７】本発明の一実施形態のパチンコ遊技機において実行される制御処理を示すフローチャートである。
【図１８】本発明の一実施形態のパチンコ遊技機における入賞コマンドテーブルを示す説明図である。
【図１９】本発明の一実施形態のパチンコ遊技機において実行される制御処理を示すフローチャートである。
【図２０】本発明の一実施形態のパチンコ遊技機において実行される制御処理を示すフローチャートである。
【図２１】本発明の一実施形態のパチンコ遊技機において実行される制御処理を示すフローチャートである。
【図２２】本発明の一実施形態のパチンコ遊技機における発光報知態様テーブルを示す説明図である。
【図２３】本発明の一実施形態のパチンコ遊技機における音報知態様テーブルを示す説明図である。
【符号の説明】
【０２０６】
１０    パチンコ遊技機
１４    遊技板
２４１〜２４９    普通入賞口
２５ａ〜２５ｄ    第２種非電動役物
６００    排出路ユニット
６１０    排出路機構板
６１３    排出路
６５０ａ〜６５０ｄ    電飾基板
６５１    ＬＥＤ
【図１】
2008099858.tif 000003
【図２】
2008099858.tif 000004
【図３】
2008099858.tif 000005
【図４】
2008099858.tif 000006
【図５】
2008099858.tif 000007
【図６】
2008099858.tif 000008
【図７】
2008099858.tif 000009
【図８】
2008099858.tif 000010
【図９】
2008099858.tif 000011
【図１０】
2008099858.tif 000012
【図１１】
2008099858.tif 000013
【図１２】
2008099858.tif 000014
【図１３】
2008099858.tif 000015
【図１４】
2008099858.tif 000016
【図１５】
2008099858.tif 000017
【図１６】
2008099858.tif 000018
【図１７】
2008099858.tif 000019
【図１８】
2008099858.tif 000020
【図１９】
2008099858.tif 000021
【図２０】
2008099858.tif 000022
【図２１】
2008099858.tif 000023
【図２２】
2008099858.tif 000024
【図２３】
2008099858.tif 000025